(57)【要約】【課題】ロバスト性を向上させて、ＰＤＡなどでコンテンツを購入し、さらに決済処理を可能にする。【解決手段】ＰＤＡ４を所持する使用者が、ＩＤ認識カメラ１１を興味持った看板６にかざす事により、光ビーコン３１から供給される情報を取得し、表示部に撮影された画像にボタンとしてオーバーレイ表示させる。そのオーバーレイ表示されたボタンを操作するとコンテンツ配信サーバ１にアクセスする。これに伴って、コンテンツ配信サーバ１は決済サーバ２にコンテンツの決済を要求する。決済サーバ２は、ＰＤＡ４に対して決済処理を実行し、決済が完了すると、コンテンツ配信サーバ１に通知する。この通知を受けると、コンテンツ配信サーバ１は、ＰＤＡ４にコンテンツを配信する。本発明は、コンテンツ配信システムに適用させることができる。【選択図】      図１
2004171331.tif 000002
【特許請求の範囲】
【請求項１】
第１乃至第４の情報処理装置からなる情報処理システムにおいて、
前記第１の情報処理装置は、
第１のデータに対応した点滅パターンを発生するパターン発生手段と、
前記パターン発生手段により発生された前記点滅パターンで発光する発光手段と
を備え、
前記第２の情報処理装置は、
前記第１の情報処理装置を撮像する撮像手段と、
前記撮像手段により撮像された前記点滅パターンを解析する解析手段と、
前記解析手段の解析結果に基づいて、前記第１のデータを取得するデータ取得手段と、
前記第１のデータに基づいて、前記第３の情報処理装置に第２のデータを要求する第１の要求手段と、
前記第４の情報処理装置に対して、前記第２のデータの対価の決済処理を実行する第１の決済処理実行手段と、
前記第３の情報処理装置から送信されてくる前記第２のデータを受信する第１の受信手段と
を備え、
前記第３の情報処理装置は、
前記第２のデータを記憶する記憶手段と、
前記第２のデータの要求を受信する第２の受信手段と、
前記第２のデータの対価の決済処理を前記第２の情報処理装置に対して実行するように前記第４の情報処理装置に要求する第２の要求手段と、
前記第２のデータの対価の決済処理が完了したことを示す通知を受信する第３の受信手段と、
前記第３の受信手段により決済処理の完了を示す通知が受信されたとき、前記記憶手段に記憶された前記第２のデータを前記第２の情報処理装置に送信する送信手段と
を備え、
前記第４の情報処理装置は、
前記第３の情報処理装置からの前記第２のデータの対価の決済処理の要求を受信する第４の受信手段と、
前記第２の情報処理装置に対して前記第２のデータの対価の決済処理を実行する第２の決済処理実行手段と、
前記前記第２の決済処理実行手段による決済処理が完了したことを通知する通知手段と
を備える
ことを特徴とする情報処理システム。
【請求項２】
前記第１のデータは、前記第３の情報処理装置のＵＲＬを含む
ことを特徴とする請求項１に記載の情報処理システム。
【請求項３】
前記第２のデータは、コンテンツを含む
ことを特徴とする請求項１に記載の情報処理システム。
【請求項４】
前記第１の情報処理装置は、
画像を表示する表示手段と、
前記画像に含まれる前記第１のデータを抽出する抽出手段とをさらに備え、前記パターン発生手段は、前記抽出手段により抽出された前記第１のデータに対応した点滅パターンを発生する
ことを特徴とする請求項１に記載の情報処理システム。
【請求項５】
前記第１の情報処理装置は、
前記画像を含む放送信号を受信する第５の受信手段をさらに備え、
前記抽出手段は、前記放送信号により受信される前記画像のブランキングエリアに含まれる前記第１のデータを抽出する
ことを特徴とする請求項４に記載の情報処理システム。
【請求項６】
第１乃至第４の情報処理装置からなる情報処理システムの情報処理方法において、
前記第１の情報処理装置の情報処理方法は、
第１のデータに対応した点滅パターンを発生するパターン発生ステップと、前記パターン発生手段により発生された前記点滅パターンで発光する発光ステップと
を含み、
前記第２の情報処理装置の情報処理方法は、
前記第１の情報処理装置を撮像する撮像ステップと、
前記撮像ステップの処理で撮像された前記点滅パターンを解析する解析ステップと、
前記解析ステップの処理での解析結果に基づいて、前記第１のデータを取得するデータ取得ステップと、
前記第１のデータに基づいて、前記第３の情報処理装置に第２のデータを要求する第１の要求ステップと、
前記第４の情報処理装置に対して、前記第２のデータの対価の決済処理を実行する第１の決済処理実行ステップと、
前記第３の情報処理装置から送信されてくる前記第２のデータを受信する第１の受信ステップと
を含み、
前記第３の情報処理装置の情報処理方法は、
前記第２のデータを記憶する記憶ステップと、
前記第２のデータの要求を受信する第２の受信ステップと、
前記第２のデータの対価の決済処理を前記第２の情報処理装置に対して実行するように前記第４の情報処理装置に要求する第２の要求ステップと、
前記第２のデータの対価の決済処理が完了したことを示す通知を受信する第３の受信ステップと、
前記第３の受信ステップの処理で決済処理の完了を示す通知が受信されたとき、前記記憶ステップの処理で記憶された前記第２のデータを前記第２の情報処理装置に送信する送信ステップと
を含み、
前記第４の情報処理装置の情報処理方法は、
前記第３の情報処理装置からの前記第２のデータの対価の決済処理の要求を受信する第４の受信ステップと、
前記第２の情報処理装置に対して前記第２のデータの対価の決済処理を実行する第２の決済処理実行ステップと、
前記前記第２の決済処理実行ステップの処理での決済処理が完了したことを通知する通知ステップと
を含む
ことを特徴とする情報処理システムの情報処理方法。
【請求項７】
第１乃至第４の情報処理装置からなる情報処理システムの情報処理装置を制御するプログラムであって、
前記第１の情報処理装置のプログラムは、
第１のデータに対応した点滅パターンを発生するパターン発生ステップを含み、
前記第２の情報処理装置のプログラムは、
撮像された前記点滅パターンを解析する解析ステップと、
前記解析ステップの処理での解析結果に基づいて、前記第１のデータを取得するデータ取得ステップと、
前記第１のデータに基づいて、前記第３の情報処理装置に第２のデータを要求する第１の要求ステップと、
前記第４の情報処理装置に対して、前記第２のデータの対価の決済処理を実行する第１の決済処理実行ステップと
を含み、
前記第３の情報処理装置のプログラムは、
前記第２のデータの対価の決済処理を前記第２の情報処理装置に対して実行するように前記第４の情報処理装置に要求する第２の要求ステップと、
前記第３の受信ステップの処理で決済処理の完了を示す通知が受信されたとき、前記記憶ステップの処理で記憶された前記第２のデータを前記第２の情報処理装置に送信する送信ステップと
を含み、
前記第４の情報処理装置のプログラムは、
前記第２の情報処理装置に対して前記第２のデータの対価の決済処理を実行する第２の決済処理実行ステップと、
前記前記第２の決済処理実行ステップの処理での決済処理が完了したことを通知する通知ステップと
を含む
ことを特徴とするコンピュータが読み取り可能なプログラムが記録されている記録媒体。
【請求項８】
第１乃至第４の情報処理装置からなる情報処理システムの情報処理装置を制御するコンピュータのうち、
前記第１の情報処理装置のコンピュータに、
第１のデータに対応した点滅パターンを発生するパターン発生ステップを実行させ、
前記第２の情報処理装置のコンピュータに、
撮像された前記点滅パターンを解析する解析ステップと、
前記解析ステップの処理での解析結果に基づいて、前記第１のデータを取得するデータ取得ステップと、
前記第１のデータに基づいて、前記第３の情報処理装置に第２のデータを要求する第１の要求ステップと、
前記第４の情報処理装置に対して、前記第２のデータの対価の決済処理を実行する第１の決済処理実行ステップと
を実行させ、
前記第３の情報処理装置のコンピュータに、
前記第２のデータの対価の決済処理を前記第２の情報処理装置に対して実行するように前記第４の情報処理装置に要求する第２の要求ステップと、
前記第３の受信ステップの処理で決済処理の完了を示す通知が受信されたとき、前記記憶ステップの処理で記憶された前記第２のデータを前記第２の情報処理装置に送信する送信ステップと
を実行させ、
前記第４の情報処理装置のコンピュータに、
前記第２の情報処理装置に対して前記第２のデータの対価の決済処理を実行する第２の決済処理実行ステップと、
前記前記第２の決済処理実行ステップの処理での決済処理が完了したことを通知する通知ステップと
を実行させることを特徴とするプログラム。
【請求項９】
画像を表示する表示手段と、
前記画像に含まれる所定のデータを抽出する抽出手段と、
前記抽出手段により抽出された前記所定のデータに対応した点滅パターンを発生するパターン発生手段と、
前記パターン発生手段により発生された前記点滅パターンで発光する発光手段と
を備えることを特徴とする情報処理装置。
【請求項１０】
前記画像を含む放送信号を受信する受信手段をさらに備え、
前記抽出手段は、前記放送信号により受信される前記画像のブランキングエリアに含まれる前記所定のデータを抽出する
ことを特徴とする請求項９に記載の情報処理装置。
【請求項１１】
画像を表示する表示ステップと、
前記画像に含まれる所定のデータを抽出する抽出ステップと、
前記抽出手段により抽出された前記所定のデータに対応した点滅パターンを発生するパターン発生ステップと、
前記パターン発生ステップの処理で発生された前記点滅パターンで発光する発光ステップと
を含むことを特徴とする情報処理方法。
【請求項１２】
画像に含まれる所定のデータを抽出する抽出ステップと、前記抽出手段により抽出された前記所定のデータに対応した点滅パターンを発生するパターン発生ステップと
を含むことを特徴とするコンピュータが読み取り可能なプログラムが記録されている記録媒体。
【請求項１３】
画像に含まれる所定のデータを抽出する抽出ステップと、前記抽出手段により抽出された前記所定のデータに対応した点滅パターンを発生するパターン発生ステップと
をコンピュータに実行させることを特徴とするプログラム。
【請求項１４】
第１乃至第４の情報処理装置からなる情報処理システムにおいて、
前記第１の情報処理装置は、
自らを識別するＩＤを含む第１のデータに対応した点滅パターンを発生するパターン発生手段と、
前記パターン発生手段により発生された前記点滅パターンで発光する発光手段と
を備え、
前記第２の情報処理装置は、
前記第１の情報処理装置を撮像する撮像手段と、
前記撮像手段により撮像された前記点滅パターンを解析する解析手段と、
前記解析手段の解析結果に基づいて、前記第１のデータを取得するデータ取得手段と、
前記第１のデータに基づいて、そこに含まれる前記ＩＤと共に前記第３の情報処理装置に第２のデータを要求する第１の要求手段と、
前記第３の情報処理装置から送信されてくる前記第２のデータを受信する第１の受信手段と
を備え、
前記第３の情報処理装置は、
前記ＩＤに対応する第２のデータを記憶する記憶手段と、
前記第２のデータの要求と共に、前記ＩＤを受信する第２の受信手段と、
前記記憶手段に記憶された、前記ＩＤに対応する前記第２のデータを前記第２の情報処理装置に送信する送信手段と、
前記ＩＤ毎に、前記第２のデータの要求回数を記憶する回数記憶手段と、
前記要求回数に応じて決済処理を実行するように前記第４の情報処理装置に要求する第２の要求手段と
を備え、
前記第４の情報処理装置は、
前記第３の情報処理装置からの前記要求回数に応じた、前記前記第１の情報処理装置を使用する使用者の金融口座に対する決済処理の要求を受信する第２の受信手段と、
前記要求回数に応じた決済処理を実行する決済処理実行手段と
を備える
ことを特徴とする情報処理システム。
【請求項１５】
前記第１のデータは、前記第３の情報処理装置のＵＲＬを含む
ことを特徴とする請求項１４に記載の情報処理システム。
【請求項１６】
前記第３の情報処理装置は、
前記記憶手段は、前記ＩＤに対応して、前記所定の位置に対応する位置情報と、前記第１の情報処理装置の位置情報をさらに記憶し、
前記所定の位置に対応する位置情報と、前記第１の情報処理装置の位置情報からナビゲーション情報を生成するナビゲーション情報生成手段をさらに備え、前記送信手段は、前記記憶手段に記憶された、前記ＩＤに対応する前記第２のデータとして、前記ナビゲーション情報生成手段により生成されたナビゲーション情報を前記第２の情報処理装置に送信する
ことを特徴とする請求項１４に記載の情報処理システム。
【請求項１７】
前記所定の位置に対応する位置情報は、店の位置である
ことを特徴とする請求項１５に記載の情報処理システム。
【請求項１８】
前記第２の情報処理装置は、
位置情報取得手段をさらに備え、
前記第１の要求手段は、前記第１のデータに基づいて、そこに含まれる前記ＩＤに加えて、前記位置情報取得手段により取得された位置情報を送信すると共に前記第３の情報処理装置に第２のデータを要求し、
前記第３の情報処理装置は、
前記所定の位置に対応する位置情報と、前記前記位置情報取得手段により取得された位置情報からナビゲーション情報を生成する前記ナビゲーション情報生成手段を備え、
前記送信手段は、前記記憶手段に記憶された、前記ＩＤに対応する前記第２のデータとして、前記ナビゲーション情報生成手段により生成されたナビゲーション情報を前記第２の情報処理装置に送信する
ことを特徴とする請求項１４に記載の情報処理システム。
【請求項１９】
第１乃至第４の情報処理装置からなる情報処理システムの情報処理方法において、
前記第１の情報処理装置の情報処理方法は、
自らを識別するＩＤを含む第１のデータに対応した点滅パターンを発生するパターン発生ステップと、
前記パターン発生ステップの処理で発生された前記点滅パターンで発光する発光ステップと
を含み、
前記第２の情報処理装置の情報処理方法は、
前記第１の情報処理装置を撮像する撮像ステップと、
前記撮像ステップの処理で撮像された前記点滅パターンを解析する解析ステップと、
前記解析ステップの処理での解析結果に基づいて、前記第１のデータを取得するデータ取得ステップと、
前記第１のデータに基づいて、そこに含まれる前記ＩＤと共に前記第３の情報処理装置に第２のデータを要求する第１の要求ステップと、
前記第３の情報処理装置から送信されてくる前記第２のデータを受信する第１の受信ステップと
を含み、
前記第３の情報処理装置の情報処理方法は、
前記ＩＤに対応する第２のデータを記憶する記憶ステップと、
前記第２のデータの要求と共に、前記ＩＤを受信する第２の受信ステップと、前記記憶ステップの処理で記憶された、前記ＩＤに対応する前記第２のデータを前記第２の情報処理装置に送信する送信ステップと、
前記ＩＤ毎に、前記第２のデータの要求回数を記憶する回数記憶ステップと、前記要求回数に応じて決済処理を実行するように前記第４の情報処理装置に要求する第２の要求ステップと
を含み、
前記第４の情報処理装置の情報処理方法は、
前記第３の情報処理装置からの前記要求回数に応じた、前記前記第１の情報処理装置を使用する使用者の金融口座に対する決済処理の要求を受信する第２の受信ステップと、
前記要求回数に応じた決済処理を実行する決済処理実行ステップと
を含む
ことを特徴とする情報処理システムの情報処理方法。
【請求項２０】
第１乃至第４の情報処理装置からなる情報処理システムを制御するプログラムであって、
前記第１の情報処理装置のプログラムは、
自らを識別するＩＤを含む第１のデータに対応した点滅パターンを発生するパターン発生ステップを含み、
前記第２の情報処理装置のプログラムは、
撮像された前記点滅パターンを解析する解析ステップと、
前記解析ステップの処理での解析結果に基づいて、前記第１のデータを取得するデータ取得ステップと、
前記第１のデータに基づいて、そこに含まれる前記ＩＤと共に前記第３の情報処理装置に第２のデータを要求する第１の要求ステップと
を含み、
前記第３の情報処理装置のプログラムは、
前記ＩＤ毎の、前記第２のデータの要求回数に応じて決済処理を実行するように前記第４の情報処理装置に要求する第２の要求ステップと
を含み、
前記第４の情報処理装置のプログラムは、
前記要求回数に応じた決済処理を実行する決済処理実行ステップと
を含む
ことを特徴とする情報処理システムの情報処理方法。
【請求項２１】
第１乃至第４の情報処理装置からなる情報処理システムを制御するコンピュータのうち、
前記第１の情報処理装置のコンピュータに、
自らを識別するＩＤを含む第１のデータに対応した点滅パターンを発生するパターン発生ステップを含む処理を実行させ、
前記第２の情報処理装置のコンピュータに、
撮像された前記点滅パターンを解析する解析ステップと、
前記解析ステップの処理での解析結果に基づいて、前記第１のデータを取得するデータ取得ステップと、
前記第１のデータに基づいて、そこに含まれる前記ＩＤと共に前記第３の情報処理装置に第２のデータを要求する第１の要求ステップと
を含む処理を実行させ、
前記第３の情報処理装置のコンピュータに、
前記ＩＤ毎の、前記第２のデータの要求回数に応じて決済処理を実行するように前記第４の情報処理装置に要求する第２の要求ステップと
を含む処理を実行させ、
前記第４の情報処理装置のコンピュータに、
前記要求回数に応じた決済処理を実行する決済処理実行ステップと
を含む処理を実行させる
ことを特徴とするプログラム。
【発明の詳細な説明】
【０００１】
【発明の属する技術分野】
本発明は、情報処理システムおよび方法、情報処理装置および方法、記録媒体、並びにプログラムに関し、特に、点滅パターンによって情報を発信することで、その光信号の位置および情報を認識することにより、環境による明るさの変化に影響されることの無い情報の取得と、取得した情報に係る対価の支払い処理を可能にした情報処理システムおよび方法、情報処理装置および方法、記録媒体、並びにプログラムに関する。
【０００２】
【従来の技術】
近年、現実空間と仮想空間の融合を目的とした研究が盛んになっている。その中でも、実空間のオブジェクトに関する情報（実空間オブジェクトのＩＤ（Ｉｄｅｎｔｉｆｉｅｒ）や、ネットワークアドレス、ホストネーム、ＵＲＬ（Ｕｎｉｆｏｒｍ  Ｒｅｓｏｕｒｃｅ  Ｌｏｃａｔｏｒ）、データ／コンテンツ、プログラムコードやその他のオブジェクトに関連する情報）を持たせるサイバーコードのような技術が注目を集めている。このような技術が屋外を含め、広い範囲で実用化されることにより、日常生活に大きな変化を与える多くのアプリケーションソフトウェアが生み出されることが期待される。
【０００３】
例えば、街のビル、公共施設などの看板、ポスター、モニタの近傍にサイバーコードを設置して、カメラ付きネットワーク携帯端末をその方向にかざせば、カメラの画像上に、サイバーコードから得られた情報からそのオブジェクト（看板、ポスター、モニタ等）に関する情報をネットワーク上から取得し、使用者に表示することができる。このとき、オブジェクトが映画の広告であれば、その映画に関する情報（予告画像、上映している映画館、上映時間）といった情報を簡単に入手することができる（例えば、非特許文献１参照）。
【０００４】
【非特許文献１】
Ｊｕｎ  Ｒｅｋｉｍｏｔｏ，  ”Ｍａｔｒｉｘ：  Ａ  Ｒｅａｌｉｔｉｍｅ  Ｏｂｊｅｃｔ  Ｉｄｅｎｔｉｆｉｃａｔｉｏｎ  ａｎｄ  Ｒｅｇｉｓｔｒａｔｉｏｎ  Ｍｅｔｈｏｄ  ｆｏｒ  Ａｕｇｍｅｎｔｅｄ  Ｒｅａｌｉｔｙ”  ＡＰＣＨＩ’９８
【０００５】
【発明が解決しようとする課題】
しかしながら、サイバーコードのような技術では、カメラとサイバーコードとの距離が離れたり、カメラに対して傾いたり、屋外での使用などサイバーコードを授受する環境の明るさが大きく変化すると、サイバーコードがもつ情報をカメラ側で解析することができなくなるといった課題があった。
【０００６】
本発明はこのような状況に鑑みてなされたものであり、点滅パターンによって情報を発信する光ビーコンとその光ビーコンの位置および情報を認識することにより、環境による明るさの変化に影響されることの無い情報の取得を可能にし、さらに、取得した情報に係る対価の支払い処理を可能にするものである。
【０００７】
【課題を解決するための手段】
本発明の第１の情報処理システムは、第１の情報処理装置が、第１のデータに対応した点滅パターンを発生するパターン発生手段と、パターン発生手段により発生された点滅パターンで発光する発光手段とを備え、第２の情報処理装置が、第１の情報処理装置を撮像する撮像手段と、撮像手段により撮像された点滅パターンを解析する解析手段と、解析手段の解析結果に基づいて、第１のデータを取得するデータ取得手段と、第１のデータに基づいて、第３の情報処理装置に第２のデータを要求する第１の要求手段と、第４の情報処理装置に対して、第２のデータの対価の決済処理を実行する第１の決済処理実行手段と、第３の情報処理装置から送信されてくる第２のデータを受信する第１の受信手段とを備え、第３の情報処理装置が、第２のデータを記憶する記憶手段と、第２のデータの要求を受信する第２の受信手段と、第２のデータの対価の決済処理を第２の情報処理装置に対して実行するように第４の情報処理装置に要求する第２の要求手段と、第２のデータの対価の決済処理が完了したことを示す通知を受信する第３の受信手段と、第３の受信手段により決済処理の完了を示す通知が受信されたとき、記憶手段に記憶された第２のデータを第２の情報処理装置に送信する送信手段とを備え、第４の情報処理装置が、第３の情報処理装置からの第２のデータの対価の決済処理の要求を受信する第４の受信手段と、第２の情報処理装置に対して第２のデータの対価の決済処理を実行する第２の決済処理実行手段と、第２の決済処理実行手段による決済処理が完了したことを通知する通知手段とを備えることを特徴とする。
【０００８】
前記第１のデータには、第３の情報処理装置のＵＲＬを含ませるようにすることができる。
【０００９】
前記第２のデータには、コンテンツを含ませるようにすることができる。
【００１０】
前記第１の情報処理装置には、画像を表示する表示手段と、画像に含まれる第１のデータを抽出する抽出手段とをさらに設けるようにさせることができ、パターン発生手段には、抽出手段により抽出された第１のデータに対応した点滅パターンを発生させるようにすることができる。
【００１１】
第１の情報処理装置には、画像を含む放送信号を受信する第５の受信手段をさらに設けるようにさせることができ、抽出手段には、放送信号により受信される画像のブランキングエリアに含まれる第１のデータを抽出させるようにすることができる。
【００１２】
本発明の第１の情報処理システムの情報処理方法は、第１の情報処理装置の情報処理方法が、第１のデータに対応した点滅パターンを発生するパターン発生ステップと、パターン発生手段により発生された点滅パターンで発光する発光ステップとを含み、第２の情報処理装置の情報処理方法が、第１の情報処理装置を撮像する撮像ステップと、撮像ステップの処理で撮像された点滅パターンを解析する解析ステップと、解析ステップの処理での解析結果に基づいて、第１のデータを取得するデータ取得ステップと、第１のデータに基づいて、第３の情報処理装置に第２のデータを要求する第１の要求ステップと、第４の情報処理装置に対して、第２のデータの対価の決済処理を実行する第１の決済処理実行ステップと、第３の情報処理装置から送信されてくる第２のデータを受信する第１の受信ステップとを含み、第３の情報処理装置の情報処理方法が、第２のデータを記憶する記憶ステップと、第２のデータの要求を受信する第２の受信ステップと、第２のデータの対価の決済処理を第２の情報処理装置に対して実行するように第４の情報処理装置に要求する第２の要求ステップと、第２のデータの対価の決済処理が完了したことを示す通知を受信する第３の受信ステップと、第３の受信ステップの処理で決済処理の完了を示す通知が受信されたとき、記憶ステップの処理で記憶された第２のデータを第２の情報処理装置に送信する送信ステップとを含み、第４の情報処理装置の情報処理方法が、第３の情報処理装置からの第２のデータの対価の決済処理の要求を受信する第４の受信ステップと、第２の情報処理装置に対して第２のデータの対価の決済処理を実行する第２の決済処理実行ステップと、第２の決済処理実行ステップの処理での決済処理が完了したことを通知する通知ステップとを含むことを特徴とする。
【００１３】
本発明の第１の記録媒体のプログラムは、第１の情報処理装置のプログラムが、第１のデータに対応した点滅パターンを発生するパターン発生ステップを含み、第２の情報処理装置のプログラムが、撮像された点滅パターンを解析する解析ステップと、解析ステップの処理での解析結果に基づいて、第１のデータを取得するデータ取得ステップと、第１のデータに基づいて、第３の情報処理装置に第２のデータを要求する第１の要求ステップと、第４の情報処理装置に対して、第２のデータの対価の決済処理を実行する第１の決済処理実行ステップとを含み、第３の情報処理装置のプログラムが、第２のデータの対価の決済処理を第２の情報処理装置に対して実行するように第４の情報処理装置に要求する第２の要求ステップと、第３の受信ステップの処理で決済処理の完了を示す通知が受信されたとき、記憶ステップの処理で記憶された第２のデータを第２の情報処理装置に送信する送信ステップとを含み、第４の情報処理装置のプログラムが、第２の情報処理装置に対して第２のデータの対価の決済処理を実行する第２の決済処理実行ステップと、第２の決済処理実行ステップの処理での決済処理が完了したことを通知する通知ステップとを含むことを特徴とする。
【００１４】
本発明の第１のプログラムは、第１の情報処理装置のコンピュータに、第１のデータに対応した点滅パターンを発生するパターン発生ステップを実行させ、第２の情報処理装置のコンピュータに、撮像された点滅パターンを解析する解析ステップと、解析ステップの処理での解析結果に基づいて、第１のデータを取得するデータ取得ステップと、第１のデータに基づいて、第３の情報処理装置に第２のデータを要求する第１の要求ステップと、第４の情報処理装置に対して、第２のデータの対価の決済処理を実行する第１の決済処理実行ステップとを実行させ、第３の情報処理装置のコンピュータに、第２のデータの対価の決済処理を第２の情報処理装置に対して実行するように第４の情報処理装置に要求する第２の要求ステップと、第３の受信ステップの処理で決済処理の完了を示す通知が受信されたとき、記憶ステップの処理で記憶された第２のデータを第２の情報処理装置に送信する送信ステップとを実行させ、第４の情報処理装置のコンピュータに、第２の情報処理装置に対して第２のデータの対価の決済処理を実行する第２の決済処理実行ステップと、第２の決済処理実行ステップの処理での決済処理が完了したことを通知する通知ステップとを実行させることを特徴とする。
【００１５】
本発明の情報処理装置は、画像を表示する表示手段と、画像に含まれる所定のデータを抽出する抽出手段と、抽出手段により抽出された所定のデータに対応した点滅パターンを発生するパターン発生手段と、パターン発生手段により発生された点滅パターンで発光する発光手段とを備えることを特徴とする。
【００１６】
前記画像を含む放送信号を受信する受信手段をさらに設けるようにさせることができ、抽出手段には、放送信号により受信される画像のブランキングエリアに含まれる所定のデータを抽出させるようにすることができる。
【００１７】
本発明の第２の情報処理方法は、画像を表示する表示ステップと、画像に含まれる所定のデータを抽出する抽出ステップと、抽出手段により抽出された所定のデータに対応した点滅パターンを発生するパターン発生ステップと、パターン発生ステップの処理で発生された点滅パターンで発光する発光ステップとを含むことを特徴とする。
【００１８】
本発明の第２の記録媒体のプログラムは、画像に含まれる所定のデータを抽出する抽出ステップと、抽出手段により抽出された所定のデータに対応した点滅パターンを発生するパターン発生ステップとを含むことを特徴とする。
【００１９】
本発明の第２のプログラムは、画像に含まれる所定のデータを抽出する抽出ステップと、抽出手段により抽出された所定のデータに対応した点滅パターンを発生するパターン発生ステップとをコンピュータに実行させることを特徴とする。
【００２０】
本発明の第２の情報処理システムは、第１の情報処理装置が、自らを識別するＩＤを含む第１のデータに対応した点滅パターンを発生するパターン発生手段と、パターン発生手段により発生された点滅パターンで発光する発光手段とを備え、第２の情報処理装置が、第１の情報処理装置を撮像する撮像手段と、撮像手段により撮像された点滅パターンを解析する解析手段と、解析手段の解析結果に基づいて、第１のデータを取得するデータ取得手段と、第１のデータに基づいて、そこに含まれるＩＤと共に第３の情報処理装置に第２のデータを要求する第１の要求手段と、第３の情報処理装置から送信されてくる第２のデータを受信する第１の受信手段とを備え、第３の情報処理装置が、ＩＤに対応する第２のデータを記憶する記憶手段と、第２のデータの要求と共に、ＩＤを受信する第２の受信手段と、記憶手段に記憶された、ＩＤに対応する第２のデータを第２の情報処理装置に送信する送信手段と、ＩＤ毎に、第２のデータの要求回数を記憶する回数記憶手段と、要求回数に応じて決済処理を実行するように第４の情報処理装置に要求する第２の要求手段とを備え、第４の情報処理装置が、第３の情報処理装置からの要求回数に応じた、前記第１の情報処理装置を使用する使用者の金融口座に対する決済処理の要求を受信する第２の受信手段と、要求回数に応じた決済処理を実行する決済処理実行手段とを備えることを特徴とする。
【００２１】
前記第１のデータには、第３の情報処理装置のＵＲＬを含ませるようにすることができる。
【００２２】
第３の情報処理装置は、記憶手段が、ＩＤに対応して、所定の位置に対応する位置情報と、第１の情報処理装置の位置情報をさらに記憶し、所定の位置に対応する位置情報と、第１の情報処理装置の位置情報からナビゲーション情報を生成するナビゲーション情報生成手段をさらに設けるようにさせることができ、送信手段には、記憶手段に記憶された、ＩＤに対応する第２のデータとして、ナビゲーション情報生成手段により生成されたナビゲーション情報を第２の情報処理装置に送信させるようにすることができる。
【００２３】
前記所定の位置に対応する位置情報は、店の位置であるようにすることができる。
【００２４】
前記第２の情報処理装置には、位置情報取得手段をさらに設けるようにさせることができ、第１の要求手段には、第１のデータに基づいて、そこに含まれるＩＤに加えて、位置情報取得手段により取得された位置情報を送信すると共に第３の情報処理装置に第２のデータを要求させるようにすることができ、第３の情報処理装置には、所定の位置に対応する位置情報と、位置情報取得手段により取得された位置情報からナビゲーション情報を生成するナビゲーション情報生成手段を設けるようにさせることができ、送信手段には、記憶手段に記憶された、ＩＤに対応する第２のデータとして、ナビゲーション情報生成手段により生成されたナビゲーション情報を第２の情報処理装置に送信させるようにすることができる。
【００２５】
本発明の第２の情報処理システムの情報処理方法は、第１の情報処理装置の情報処理方法は、自らを識別するＩＤを含む第１のデータに対応した点滅パターンを発生するパターン発生ステップと、パターン発生ステップの処理で発生された点滅パターンで発光する発光ステップとを含み、第２の情報処理装置の情報処理方法が、第１の情報処理装置を撮像する撮像ステップと、撮像ステップの処理で撮像された点滅パターンを解析する解析ステップと、解析ステップの処理での解析結果に基づいて、第１のデータを取得するデータ取得ステップと、第１のデータに基づいて、そこに含まれるＩＤと共に第３の情報処理装置に第２のデータを要求する第１の要求ステップと、第３の情報処理装置から送信されてくる第２のデータを受信する第１の受信ステップとを含み、第３の情報処理装置の情報処理方法が、ＩＤに対応する第２のデータを記憶する記憶ステップと、第２のデータの要求と共に、ＩＤを受信する第２の受信ステップと、記憶ステップの処理で記憶された、ＩＤに対応する第２のデータを第２の情報処理装置に送信する送信ステップと、ＩＤ毎に、第２のデータの要求回数を記憶する回数記憶ステップと、要求回数に応じて決済処理を実行するように第４の情報処理装置に要求する第２の要求ステップとを含み、第４の情報処理装置の情報処理方法が、第３の情報処理装置からの要求回数に応じた、前記第１の情報処理装置を使用する使用者の金融口座に対する決済処理の要求を受信する第２の受信ステップと、要求回数に応じた決済処理を実行する決済処理実行ステップとを含むことを特徴とする。
【００２６】
本発明の第３の記録媒体のプログラムは、第１の情報処理装置のプログラムが、自らを識別するＩＤを含む第１のデータに対応した点滅パターンを発生するパターン発生ステップを含み、第２の情報処理装置のプログラムが、撮像された点滅パターンを解析する解析ステップと、解析ステップの処理での解析結果に基づいて、第１のデータを取得するデータ取得ステップと、第１のデータに基づいて、そこに含まれるＩＤと共に第３の情報処理装置に第２のデータを要求する第１の要求ステップとを含み、第３の情報処理装置のプログラムが、ＩＤ毎の、第２のデータの要求回数に応じて決済処理を実行するように第４の情報処理装置に要求する第２の要求ステップとを含み、第４の情報処理装置のプログラムが、要求回数に応じた決済処理を実行する決済処理実行ステップとを含むことを特徴とする。
【００２７】
本発明の第３のプログラムは、第１の情報処理装置のコンピュータに、自らを識別するＩＤを含む第１のデータに対応した点滅パターンを発生するパターン発生ステップを含む処理を実行させ、第２の情報処理装置のコンピュータに、撮像された点滅パターンを解析する解析ステップと、解析ステップの処理での解析結果に基づいて、第１のデータを取得するデータ取得ステップと、第１のデータに基づいて、そこに含まれるＩＤと共に第３の情報処理装置に第２のデータを要求する第１の要求ステップとを含む処理を実行させ、第３の情報処理装置のコンピュータに、ＩＤ毎の、第２のデータの要求回数に応じて決済処理を実行するように第４の情報処理装置に要求する第２の要求ステップとを含む処理を実行させ、第４の情報処理装置のコンピュータに、要求回数に応じた決済処理を実行する決済処理実行ステップとを含む処理を実行させることを特徴とする。
【００２８】
本発明の第１の情報処理システムおよび方法、並びにプログラムにおいては、第１の情報処理装置により、第１のデータに対応した点滅パターンを発生し、発生された点滅パターンで発光させられ、第２の情報処理装置により、第１の情報処理装置が撮像され、撮像された点滅パターンが解析され、解析結果に基づいて、第１のデータが取得され、第１のデータに基づいて、第３の情報処理装置に第２のデータが要求され、第４の情報処理装置に対して、第２のデータの対価の決済処理が実行され、第３の情報処理装置から送信されてくる第２のデータが受信され、第３の情報処理装置により、第２のデータが記憶され、第２のデータの要求が受信され、第２のデータの対価の決済処理が第２の情報処理装置に対して実行されるように第４の情報処理装置に要求され、第２のデータの対価の決済処理が完了したことを示す通知が受信され、決済処理の完了を示す通知が受信されたとき、記憶された第２のデータが第２の情報処理装置に送信され、第４の情報処理装置により、第３の情報処理装置からの第２のデータの対価の決済処理の要求が受信され、第２の情報処理装置に対して第２のデータの対価の決済処理が実行され、決済処理が完了したことが通知される。
【００２９】
本発明の情報処理装置および方法、並びにプログラムにおいては、画像が表示され、画像に含まれる所定のデータが抽出され、抽出された所定のデータに対応した点滅パターンが発生させられ、発生された点滅パターンで発光させられる。
【００３０】
本発明の第２の情報処理システムおよび方法、並びにプログラムにおいては、第１の情報処理装置により、自らを識別するＩＤを含む第１のデータに対応した点滅パターンが発生され、発生された点滅パターンで発光させられ、第２の情報処理装置により、第１の情報処理装置が撮像され、撮像された点滅パターンが解析され、解析結果に基づいて、第１のデータが取得され、第１のデータに基づいて、そこに含まれるＩＤと共に第３の情報処理装置に第２のデータが要求され、第３の情報処理装置から送信されてくる第２のデータが受信され、第３の情報処理装置により、ＩＤに対応する第２のデータが記憶され、第２のデータの要求と共に、ＩＤが受信され、記憶された、ＩＤに対応する第２のデータが第２の情報処理装置に送信され、ＩＤ毎に、第２のデータの要求回数が記憶され、要求回数に応じて決済処理が実行されるように第４の情報処理装置に要求され、第４の情報処理装置により、第３の情報処理装置からの要求回数に応じた、前記第１の情報処理装置を使用する使用者の金融口座に対する決済処理の要求が受信され、要求回数に応じた決済処理が実行される。
【００３１】
【発明の実施の形態】
図１は、本発明に係る情報配信システムの一実施の形態の構成を示すブロック図である。
【００３２】
この情報配信システムは、看板６に設けられた光ビーコンから発する光信号をＰＤＡ（Ｐｅｒｓｏｎａｌ  Ｄｉｇｉｔａｌ（Ｄａｔａ）  Ａｓｓｉｓｔａｎｔｓ）４や携帯電話５により受信し、この受信した光信号に含まれている送信データを抽出し、その中に含まれているＵＲＬ（Ｕｎｉｆｏｒｍ  Ｒｅｓｏｕｒｃｅ  Ｌｏｃａｔｏｒ）のコンテンツ配信サーバ１にアクセスしてコンテンツの配信を受けるシステムである。
【００３３】
コンテンツ配信サーバ１は、コンテンツを配信して販売し、利益を売る業者により管理運営されるものであり、ネットワーク３を介してＰＤＡ４、または、携帯端末５などからの要求に応じてコンテンツ（音楽コンテンツ、画像コンテンツ、動画コンテンツなど様々なコンテンツを含むが、以下においては、音楽コンテンツの場合について説明を進める）を配信する。この際、コンテンツ配信サーバ１は、決済サーバ２に対してコンテンツの対価の決済処理を要求する。この要求を受けて、決済サーバ２は、コンテンツの配信に係る決済処理を実行する。決済サーバ２は、例えば、クレジットカード業者や、金融業者により管理運営されるサーバである。
【００３４】
ＰＤＡ４は、いわゆる携帯端末装置であり、ＩＤ（Ｉｄｅｎｔｉｆｉｅｒ）認識カメラ１１を備えている。ＰＤＡ４は、看板６に設置されている光ビーコン３１から発せられる光信号に含まれている、看板６の広告内容に対応した情報（例えば、商品の配信を行うコンテンツ配信サーバ１のＵＲＬなどの情報）を取得し、取得した情報を、ＩＤ認識カメラ１１により撮影された画像上にオーバーラップ表示させる。尚、オーバーラップ表示については、後述する。
【００３５】
携帯電話５は、図示せぬ携帯電話網を介して通常の通話などができる他、ＰＤＡ４と同様に、ＩＤ認識カメラ２１を備えており、看板６に設置されている、看板６の広告内容に対応した情報を取得し、取得した情報を、ＩＤ認識カメラ２１により撮影された画像上にオーバーラップ表示させる。
【００３６】
ＩＤ認識カメラ１１，２１は、その視野内の画像を取得すると共に、その視野内に存在する光ビーコン３１から所定の点滅パターンで発せられる光に基づいて、送信されてくるＩＤデータを取得する。ＩＤデータには様々なデータを含めて送信することができるので、この機能を利用することにより、広告に関連する情報（例えば、商品の配信を行うコンテンツ配信サーバ１のＵＲＬの情報など）が送信されてくる。
【００３７】
看板６は、コンテンツ配信サーバ１により配信される情報（例えば、音楽コンテンツなど）を宣伝広告するものである。また、看板６には、光ビーコン３１が設けられている。光ビーコン３１は、所定の点滅パターンにより発光し、その発光パターンによりコンテンツ配信サーバ１にアクセスするためのＵＲＬなどの情報を含む送信データを送信する。
【００３８】
尚、今の場合、図１には、１個の看板６に対して光ビーコン３１が１個ある例について示されているが、例えば、複数の光ビーコン３１の点滅パターンの組み合わせにより、さらに多くの情報を送信することもできる。すなわち、１個の光ビーコン３１の光の点滅パターンによって表現できる情報は１ビットの情報であると考えると、光ビーコン３１の数を増やすことにより、さらに多くのビット数の情報を出力できることになる。したがって、光ビーコン３１の数は、送信するデータに必要な点滅パターンの組み合わせが作り出せる個数であればよく、少なくとも１個以上であれば個数はいくつであっても構わない。
【００３９】
図２は、コンテンツ配信サーバ１の構成を示すブロック図である。ＣＰＵ（Ｃｅｎｔｒａｌ  Ｐｒｏｃｅｓｓｉｎｇ  Ｕｎｉｔ）４１は、ＲＯＭ（Ｒｅａｄ  Ｏｎｌｙ  Ｍｅｍｏｒｙ）４２、または記憶部４８に記憶されているプログラムに従って各種の処理を実行する。ＲＡＭ（Ｒａｎｄｏｍ  Ａｃｃｅｓｓ  Ｍｅｍｏｒｙ）４３には、ＣＰＵ４１が実行するプログラムやデータなどが適宜記憶される。これらのＣＰＵ４１、ＲＯＭ４２、およびＲＡＭ４３は、バス４４により相互に接続されている。
【００４０】
ＣＰＵ４１には、バス４４を介して入出力インタフェース４５が接続されている。入出力インタフェース４５には、キーボード、マウス、マイクロホンなどよりなる入力部４６、ディスプレイ、スピーカなどよりなる出力部４７が接続されている。ＣＰＵ４１は、入力部４６から入力される指令に対応して各種の処理を実行する。
【００４１】
入出力インタフェース４５に接続されている記憶部４８は、例えばハードディスクなどで構成され、ＣＰＵ４１が実行するプログラムや各種のデータを記憶する。通信部４９は、図示せぬネットワークを介して通信機能を有する装置と各種のデータの授受を行う。
【００４２】
入出力インタフェース４５に接続されているドライブ５０は、磁気ディスク５１、光ディスク５２、光磁気ディスク５３、或いは半導体メモリ５４などが装着されたとき、それらを駆動し、そこに記録されているプログラムやデータなどを取得する。取得されたプログラムやデータは、必要に応じて記憶部４８に転送され、記憶される。
【００４３】
次に、図３を参照して、決済サーバ２の構成について説明する。
【００４４】
決済サーバ２の構成は、基本的に、図２のコンテンツ配信サーバ１と同様であり、決済サーバ２のＣＰＵ７１、ＲＯＭ７２、ＲＡＭ７３、バス７４、入出力インタフェース７５、入力部７６、出力部７７、記憶部７８、通信部７９、ドライブ８０、磁気ディスク９１、光ディスク９２、光磁気ディスク９３、および、半導体メモリ９４は、コンテンツ配信サーバ１のＣＰＵ４１、ＲＯＭ４２、ＲＡＭ４３、バス４４、入出力インタフェース４５、入力部４６、出力部４７、記憶部４８、通信部４９、ドライブ５０、磁気ディスク５１、光ディスク５２、光磁気ディスク５３、および、半導体メモリ５４に対応するものである。
【００４５】
次に、図４を参照して、ＰＤＡ４の構成について説明する。
【００４６】
ＰＤＡ４の構成は、基本的に、図２のコンテンツ配信サーバ１、または、図３の決済サーバ２と同様であり、ＰＤＡ４のＣＰＵ１１１、ＲＯＭ１１２、ＲＡＭ１１３、バス１１４、入出力インタフェース１１５、入力部１１６、出力部１１７、記憶部１１８、通信部１１９、ドライブ１２０、磁気ディスク１３１、光ディスク１３２、光磁気ディスク１３３、および、半導体メモリ１３４は、コンテンツ配信サーバ１のＣＰＵ４１、ＲＯＭ４２、ＲＡＭ４３、バス４４、入出力インタフェース４５、入力部４６、出力部４７、記憶部４８、通信部４９、ドライブ５０、磁気ディスク５１、光ディスク５２、光磁気ディスク５３、および、半導体メモリ５４、並びに、決済サーバ２のＣＰＵ７１、ＲＯＭ７２、ＲＡＭ７３、バス７４、入出力インタフェース７５、入力部７６、出力部７７、記憶部７８、通信部７９、ドライブ８０、磁気ディスク９１、光ディスク９２、光磁気ディスク９３、および、半導体メモリ９４に対応するものである。
【００４７】
コンテンツ再生部１２１は、操作ボタン１２２が使用者により操作されると、その操作内容に対応して、上述のコンテンツ配信サーバ１より配信を受けた音楽コンテンツを再生し、図示せぬスピーカやヘッドフォンなどから音声として出力する。
【００４８】
入力部１１６には、ＩＤ（Ｉｄｅｎｔｉｆｉｅｒ）認識カメラ１１が接続されており、操作部１２２が操作されたとき、静止画像が撮像されて、ＬＣＤ（Ｌｉｑｕｉｄ  Ｃｒｙｓｔａｌ  Ｄｉｓｐｌａｙ）からなる表示部１２３に表示する。さらに、ＩＤ認識カメラ１１は、光ビーコン３１が撮像された際に、その点滅パターンにより表現されているＩＤデータを取得する。操作部１２２は、例えば、タブレットボタンなどから構成され、使用者がＰＤＡ４に各種の処理を入力するとき操作される。
【００４９】
次に、図５を参照して、携帯電話５の構成について説明する。
【００５０】
携帯電話５の構成は、基本的に、図２のコンテンツ配信サーバ１、図３の決済サーバ２、または、図４のＰＤＡ４と同様であり、携帯電話５のＣＰＵ１５１、ＲＯＭ１５２、ＲＡＭ１５３、バス１５４、入出力インタフェース１５５、入力部１５６、出力部１５７、記憶部１５８、通信部１５９、ドライブ１６０、磁気ディスク１７１、光ディスク１７２、光磁気ディスク１７３、および、半導体メモリ１７４は、コンテンツ配信サーバ１のＣＰＵ４１、ＲＯＭ４２、ＲＡＭ４３、バス４４、入出力インタフェース４５、入力部４６、出力部４７、記憶部４８、通信部４９、ドライブ５０、磁気ディスク５１、光ディスク５２、光磁気ディスク５３、および、半導体メモリ５４、ＰＤＡ４のＣＰＵ１１１、ＲＯＭ１１２、ＲＡＭ１１３、バス１１４、入出力インタフェース１１５、入力部１１６、出力部１１７、記憶部１１８、通信部１１９、ドライブ１２０、磁気ディスク１３１、光ディスク１３２、光磁気ディスク１３３、および、半導体メモリ１３４、並びに、決済サーバ２のＣＰＵ７１、ＲＯＭ７２、ＲＡＭ７３、バス７４、入出力インタフェース７５、入力部７６、出力部７７、記憶部７８、通信部７９、ドライブ８０、磁気ディスク９１、光ディスク９２、光磁気ディスク９３、および、半導体メモリ９４に対応するものである。
【００５１】
携帯電話５のＩＤ認識カメラ２１、コンテンツ再生部１６１、操作ボタン１６２、および、表示部１６３は、ＰＤＡ４のＩＤ認識カメラ１１、コンテンツ再生部１２１、操作ボタン１２２、および、表示部１６３と同様の機能を有するものである。
【００５２】
但し、ＰＤＡ４、および、携帯電話５は、全てにおいて携帯性を重視した構成となっているため、処理速度や記憶部１１８，１５８の記憶容量などは、コンテンツ配信サーバ１、および、決済サーバ２の記憶部４８，７８に比べて小さいものである。
【００５３】
ここで、図６を参照して、ＩＤ認識カメラ１１の詳細な構成について説明する。イメージセンサ１９１の受光部２０１は、撮像される対象となる撮像領域の光を電気信号に光電変換した後、演算部２０２に出力する。また、受光部２０１の受光素子２１１は、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）素子からなり、従来のＣＣＤ（Ｃｈａｒｇｅ  Ｃｏｕｐｌｅｄ  Ｄｅｖｉｃｅ）素子よりも高速に動作することができる。より詳細には、受光素子２１１が、撮像される対象となる撮像領域の光を光電変換し、増幅部２１２に出力する。増幅部２１２は、受光素子２１１より入力される光電変換された電気信号を増幅して、演算部２０２に出力する。
【００５４】
演算部２０２の記憶部２２１は、受光部２０１より入力された増幅されている電気信号を記憶し、適宜比較部２２２に出力する。比較部２２２は、記憶部２２１に記憶された電気信号の値に基づいて、演算処理を行い、演算結果を所定のリファレンス値（＝基準信号レベル）と比較して、比較結果を出力部２２３に出力する。出力部２２３は、比較結果に基づいてセンサ出力信号を生成してデータ生成部１９２に出力する。但し、演算部２０２の処理内容は、画像モードとＩＤモードの２つの動作モードにより異なる。尚、この２つの異なる動作モードによる演算内容の詳細については後述する。
【００５５】
データ生成部１９２の画像デコード処理部２３１は、画像モードの場合、センサ出力信号をデコード処理して撮像画像を生成して入力部４６（図２）に出力する。また、ＩＤモードの場合、ＩＤデコード処理部２３２は、センサ出力信号をデコード処理してＩＤデータと位置情報を生成して入力部４６（図２）に出力する。
【００５６】
次に、図７を参照して、画像デコード処理部２３１の詳細な構成について説明する。画像デコード処理部２３１の画素値決定部２４１は、センサ出力信号に基づいて画素値を決定し、フレームメモリ２４２の対応する画素位置に決定した画素値を記憶させる。フレームメモリ２４２は、１フレーム分の画素値を記憶するメモリであり、画素位置毎に画素値を記憶する。
【００５７】
出力部２４３は、フレームメモリ２４２に１フレーム分の画素値が記憶されたとき、順次画像データとして読出し、出力する。
【００５８】
次に、図８を参照して、ＩＤデコード処理部２３２の詳細な構成について説明する。ＩＤデコード部２６１のＩＤデコード回路２７１は、ＩＣ（Ｉｎｔｅｇｒａｔｅｄ  Ｃｉｒｃｕｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などのデバイスにより構成されており、イメージセンサ１９１から入力されるセンサ出力信号より各画素のＩＤデータを復元する。このＩＤデコード回路２７１は、処理能力が十分であれば、マイクロプロセッサやＤＳＰ（Ｄｉｇｉｔａｌ  Ｓｉｇｎａｌ  Ｐｒｏｃｅｓｓｏｒ）によってソフトウェアで構成するようにしても良い。
【００５９】
フラグレジスタ２７２は、ＩＤデータをデコードするために必要なフラグ類を記憶するためのレジスタであり、データレジスタ２７３は、デコード途中またはデコードを完了したＩＤを記憶しておくためのレジスタである。
【００６０】
尚、図８においては、ＩＤデコード部２６１は、１個のみが示されているが、処理速度の要求により、例えば、各画素毎に設けるようにしてもよいし、垂直方向、または、水平方向のライン毎に設けるようにしても良い。
【００６１】
タイミング制御部２６２は、ＩＤデコード処理部２３２の全体の動作に必要なタイミングを制御するタイミング制御信号を出力する。より具体的には、タイミング制御部２６２は、ＩＤデコード回路２７１とセンサ出力信号のタイミングの同期をとり、所望のセンサ出力信号に対して、対応するフレームメモリ２６３のフラグデータをフラグレジスタ２７２に、ＩＤデータをデータレジスタ２７３に、それぞれロードして、ＩＤデコード処理を進めるためのタイミング制御信号を生成し、ＩＤデコード部２６１（のＩＤデコード回路２７１、フラグレジスタ２７２、および、データレジスタ２７３）に供給する。また、このとき、タイミング制御部２６２は、フレームメモリ２６３へのアドレス信号、リードライトなどのタイミング制御信号を生成し供給する。さらに、タイミング制御部２６２は、重心計算部２６４のＩＤレジスタ２２１、および、ＩＤ重心計算回路２８２、並びに、ＩＤ座標格納メモリ２６５のタイミング制御を行うタイミング制御信号を生成して供給する。
【００６２】
フレームメモリ２６３は、受光素子２１１、または演算部２０２毎に演算されたセンサ出力信号がデコードされたＩＤデータとフラグデータを格納するメモリであり、イメージセンサ１９１が１画素につき１個の演算部２０２をもつ場合には、センサの画像サイズであるＭ画素×Ｎ画素と同じサイズとなり、データ幅はフラグレジスタ２７２とデータレジスタ２７３のビット幅の和で構成される。図８においては、各画素の位置に対応する座標が、Ｉ軸とＪ軸により示されており、それぞれの座標位置にＩＤデータとフラグデータが格納される。
【００６３】
重心計算部２６４は、同一のＩＤデータを持つ撮像画像上の画素の重心位置の座標を求め、ＩＤデータに、光ビーコン３１の検出位置としての位置情報（＝光ビーコン３１の撮像画像上の位置情報）を付して出力する。より詳細には、重心計算部２６４のＩＤレジスタ２２１は、タイミング制御部２６２より入力される所定のＩＤデータがデコード部２０１よりデコードされたことを示すタイミング制御信号によりフレームメモリ２６３に今記憶されたＩＤデータを読出し、ＩＤ重心計算回路２８２に出力する。ＩＤ重心計算回路２８２は、入力されたＩＤデータ毎に、対応する画素の座標位置のＩ座標とＪ座標、並びにデータの個数を順次加算してＩＤ座標格納メモリ２６５に記憶させる。また、ＩＤ重心計算回路２８２は、フレームメモリ２６３に１フレーム分のデータが格納されたとき、ＩＤ座標格納メモリ２６５よりＩＤ毎にＩ座標の和とＪ座標の和を、データの個数で割ることにより重心位置の座標を求めて、ＩＤデータと共に出力する。
【００６４】
次に、図９，図１０を参照して、光ビーコン３１の構成について説明する。
【００６５】
図９の光ビーコン３１は、送信データ保存用メモリ３０１、点滅制御部３０２、発光部３０３から構成される。送信データ保存用メモリ３０１は、予め送信するためのデータを記憶しており、適宜読み出して点滅制御部３０２に出力する。点滅制御部３０２は、発信器とＩＣ，ＡＳＩＣ，ＦＰＧＡ、ワンチップマイコンなどのデジタル回路によって構成されており、送信データ保存用メモリ３０１に記憶されたデータの内容に基づいて、点滅パターンを発生させると共に、発生された点滅パターンで発光部３０３を発光させる。発光部３０３は、高速に点滅することができる光源であれば良く、出力波長もセンサが反応する範囲であれば良い。また、発光部３０３が発する光は、可視光だけではなく、赤外域などでもよく、応答速度や、寿命の点から、ＬＥＤ（Ｌｉｇｈｔ  Ｅｍｉｓｓｉｏｎ  Ｄｉｏｄｅ）は最適な光源の１つであるといえる。尚、送信データ保存用メモリ３０１は、光ビーコン３１の本体に対して着脱可能な半導体メモリなどにより構成するようにしてもよい。
【００６６】
また、図１０の光ビーコン３１は、図示せぬネットワークを介して他の装置と通信することによりデータを可変とすることが可能である。ここでネットワークとは、有線・無線の通信回線、例えば電話回線、ＩＳＤＮ、ＲＳ−２３２Ｃ、ＲＳ−４２２、Ｅｔｈｅｒｎｅｔ（登録商標）（１０ｂａｓｅ−Ｔ，１００ｂａｓｅ−Ｔ）、ＵＳＢ（Ｕｎｉｖｅｒｓａｌ  Ｓｅｒｉａｌ  Ｂｕｓ）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４、ＩＥＥＥ８０２．１１ａ、ＩＥＥＥ８０２．１１ｂ、ＢｌｕｅＴｏｏｔｈなどの通信手段により他の装置とデータ通信ができる環境をいう。また、データ送受信部３１１は、この通信手段に対応するデータ通信用ＩＣ及びドライバから構成されており、ネットワークを介して受信した光ビーコン３１の送信データを、点滅制御部３１２に出力する。点滅制御部３１２は、入力された送信データに応じた点滅パターンを発生し、発光部３１３を発光させる。
【００６７】
次に、ＩＤ認識カメラ１１の動作について説明する。
【００６８】
受光部２０１の受光素子２１１は、光を光電変換し、変換した電気信号を増幅部２１２に出力する。増幅部２１２は、電気信号を増幅して演算部２０２に出力する。演算部２０２の記憶部２２１は、受光部２０１より入力された電気信号を順次記憶して、４フレーム分の電気信号を記憶し、いっぱいになると、最も古いフレームの電気信号を消去して、最新のフレームの電気信号を記憶する処理を繰り返して、常に最新の４フレーム分の電気信号を記憶しており、その４フレーム分の電気信号を比較部２２２に出力する。
【００６９】
比較部２２２の動作は、画像モードとＩＤモードにより異なる。この動作モードは、例えば、図１１で示すように図示せぬ制御装置により、所定の時間間隔で交互に切り替えるようにしてもよい。また、画像モードとＩＤモードがそれぞれ３０ｆｐｓ（ｆｒａｍｅ  ｐｅｒ  ｓｅｃｏｎｄ）や６０ｆｐｓといった従来のフレームレートで切り替えられるようにしても良い。さらに、ＩＤモードには、ＩＤデータをデコードするＩＤデコード処理区間と、デコードされたＩＤデータを持つ画素の座標位置としての位置情報を求めるＩＤ重心計算区間がある。
【００７０】
尚、図１１においては、画像モードとＩＤモードが同時間の場合を示しているが、それぞれの動作モードの時間は、同時間でも良いし、同時間でなくてもよい。また、図１１の下段で示すように、各画像モードの後のタイミングでは、画像デコード処理部２３１により、センサ出力信号がデコードされて撮像画像の画像データが出力され、ＩＤモードの後のタイミングで、ＩＤデコード処理部２３２により、センサ出力信号がデコードされてＩＤデータと位置情報が出力される。
【００７１】
まず、画像モードの場合の動作について説明する。
【００７２】
画像モードの場合、イメージセンサ１９１の比較部２２２は、各画素の受光部２０１で検出した輝度を示す信号レベル（記憶部２２１に記憶された電気信号）を、基準信号レベルと比較して、図１２で示すように、基準信号レベルよりも低くなったときに、図１３で示すようにアクティブになるような信号（図１３中の１の信号）を出力する。
【００７３】
ここで、図１２は、輝度信号レベルを示しており、図１３は、センサ出力信号を示している。輝度信号レベルは、実質的に受光素子２１１の充電電圧の変化を示している。受光素子２１１は、所定のタイミングで充電される電圧と逆極性の所定のリセットレベルの電圧が印加され、その後のタイミングから受光素子により蓄積される電荷量に対応して電圧レベルが低下する。従って、図１２においては、時刻０において蓄積される電荷は０であるので、輝度信号レベルは、リセットレベル（所定のレベル）となっている。この状態から時間が経過するに従って、電荷が蓄積されて、輝度信号レベルが低下する。今の場合、図１２中のＨで示す直線が、比較的輝度信号レベルの高い（明るい）画素値として、Ｌで示す直線が、比較的輝度信号レベルの低い（暗い）画素値として示されている。
【００７４】
画素値のレベルが高い輝度信号レベルの変化Ｈは、時刻０から時間Ｔ（Ｈ）だけ経過したタイミングである時刻Ｔ（Ｈ）において、基準信号レベルに達する電荷が蓄積されていることが示されている。一方、画素値のレベルが低い輝度信号レベルの変化Ｌは、時刻０から時間Ｔ（Ｌ）だけ経過したタイミングである時刻Ｔ（Ｌ）において、基準信号レベルに達する電荷が蓄積されていることが示されている。
【００７５】
すなわち、図１２で示すように、明るい画素ほど基準信号レベルに達する時間が短く（図中Ｔ（Ｈ））、暗い画素ほど基準信号レベルに達する時間（図中Ｔ（Ｌ））が長くなる（Ｔ（Ｈ）＜Ｔ（Ｌ））。比較部２２２は、実際の受光部２０１より出力される各画素の電気信号（輝度信号）が、前記基準信号レベルに達したかどうかの比較結果（コンパレータ出力）を図１３で示すように２値のセンサ出力信号として出力する。このような処理により、イメージセンサ１９１は、画像を高速に撮像して基準信号との比較演算を行い、１画面（フレーム）分の結果をセンサ出力信号として出力する。
【００７６】
さらに、画像デコード処理部２３１の画素値決定部２４１は、この時間Ｔ（Ｈ），Ｔ（Ｌ）を計測するために、このイメージセンサ１９１が１画面単位で出力する結果を、フレーム単位でカウントし、各画素で何番目のフレームでセンサ出力信号が図１２で示すようにアクティブになるかを示すセンサ出力信号をエンコードして画像データとして出力する。今の場合、センサ出力信号は、時刻Ｔ（Ｈ）が、フレーム数Ｆ（Ｈ）であり、時刻Ｔ（Ｌ）が、フレーム数Ｆ（Ｌ）である。
【００７７】
すなわち、画像モードの場合、画像デコード処理部２３１の画素値決定部２４１が、このセンサ出力信号を正しい明るさの値に変換するために、この基準信号に到達するまでの時間（フレーム数）の逆数を各画素毎に計算することで、センサ出力信号を画像データにデコードし、フレームメモリ２４２に記憶させる。そして、１フレーム分の画像データが蓄積された時、出力部２４３は、フレームメモリ２４２に記憶された画素値を画像データとして順次読出して出力する。この動作により、ＩＤ認識カメラ２１は、画像モードにおいて画像データを出力することができる（詳細は、４８Ｋｆｒａｍｅｓ／ｓ  ＣＭＯＳ  Ｉｍａｇｅ  Ｓｅｎｓｏｒ  ｆｏｒ  Ｒｅａｌ−ｔｉｍｅ  ３−Ｄ  Ｓｅｎｓｉｎｇ  ａｎｄ  Ｍｏｔｉｏｎ  Ｄｅｔｅｃｔｉｏｎ”  ＩＳＳＣＣ  Ｄｉｇｅｓｔ  ｏｆ  Ｔｅｃｈｎｉｃａｌ  Ｐａｐｅｒｓ，  ｐｐ．９４−９５，  Ｆｅｂ．２００１、または、特開２００１−３２６８５７を参照されたい）。
【００７８】
一方、動作モードがＩＤモードの場合、比較部２２２は、記憶部２２１に記憶されている時間的に連続する４フレーム分の電気信号を輝度信号として以下の式（１）のような演算処理を実行する。
【００７９】
Ｖ（Ｎ）＝Ｆ（Ｎ）＋Ｆ（Ｎ−１）−Ｆ（Ｎ−２）−Ｆ（Ｎ−３）・・・（１）
【００８０】
ここで、Ｎはフレーム番号を表し、Ｖ（Ｎ）は、Ｎフレーム目の輝度値が入力された時点での比較値を示し、Ｆ（Ｎ）はＮフレーム目の受光部２０１に蓄積された輝度を示す。この演算により、光の変化を検出することができるため、その演算結果をセンサ出力信号としてデータ生成部１９２に出力する。データ生成部１９２は、このセンサ出力信号を用いて、後述するＩＤデコード処理を行うことで、点滅パターンからなるＩＤデータを復元し、光ビーコン３１からのＩＤデータを生成することが可能となる。
【００８１】
尚、比較部２２２の演算方法は、式（１）に限るものではなく、他の演算（１次微分や２値化画像の比較など）によって実現するようにしてもよいが、以下の説明においては、光変化の検出の安定性の高い、式（１）を用いて説明するものとする。
【００８２】
ここで、ＩＤデコード処理部２３２の動作について説明する。
【００８３】
ＩＤデコード部２６１のＩＤデコード回路２７１は、タイミング制御部２６２からのセンサ出力信号のタイミングの同期を図るためのタイミング制御信号に基づいて、イメージセンサ１９１から入力されるセンサ出力信号より各画素のＩＤデータを復元する。この際、ＩＤデコード回路２７１は、タイミング制御信号に応じて、フラグレジスタ２７２を制御して、フレームメモリ２６３にロードされたフラグデータを用いて、センサ出力信号からＩＤデータをデコードし、デコード途中またはデコードを完了したＩＤをデータレジスタ２７３に記憶させる。
【００８４】
さらに、フレームメモリ２６３は、これらのデコード処理がなされたフラグデータとＩＤデータを対応する座標位置に格納する。
【００８５】
重心計算部２６４のＩＤレジスタ２２１は、タイミング制御部２６２より入力される所定のＩＤデータがデコード部２０１よりデコードされたことを示すタイミング制御信号により、フレームメモリ２６３に今記憶されたＩＤデータの情報をＩＤ重心計算回路２８２に読み出させる。
【００８６】
ＩＤ重心計算回路２８２は、読み出したＩＤデータに対応する画素の座標位置のＩ座標とＪ座標を順次加算して、これに画素の個数の情報を付してＩＤ座標格納メモリ２６５に記憶させ、この処理を繰り返す。
【００８７】
そして、フレームメモリ２６３に１フレーム分のデータが格納されたとき、ＩＤ重心計算回路２８２は、ＩＤ座標格納メモリ２６５よりＩＤ毎にＩ座標の和とＪ座標の和を、データの個数で割ることにより重心位置の座標を位置情報として求めて、対応するＩＤデータと共に出力する。
【００８８】
以上の動作により、例えば、図１４で示すように、２個の光ビーコン３１−１，３１−２が、点滅しながら発光してデータを送信する場合、ＩＤ認識カメラ１１には、図１４上部に示すような現実空間上の光ビーコン３１−１，３１−２の物理的な位置に応じた、撮像画像上の位置の画素で光の信号を受光する。例えば、光ビーコン３１−１から発せられた光が座標位置（１０，１０）の受光素子２１１で受光されるものとし、光ビーコン３１−２から発せられた光が座標位置（９０，９０）の受光素子２１１で受光されるものとする。このとき、各受光部２０１の座標位置（１０，１０）と（９０，９０）の受光素子２１１では、それぞれが光ビーコン３１−１と３１−２の点滅パターンにより受光強度（明るさ）の時間的変化として信号を受信することができる。今の場合、座標（１０，１０）の位置情報に対応する画素は、ＩＤデータとして「３２１」が、座標（９０，９０）の位置情報に対応する画素は、ＩＤデータとして１０５がデコード結果として求められている。
【００８９】
結果として、この受光強度の変化を上述の式（１）の結果を２値化することにより１／０のビット列からなるＩＤデータを取得する事ができる。
【００９０】
尚、携帯電話５のＩＤ認識カメラ２１は、ＰＤＡ４のＩＤ認識カメラ１１と同様のものであるので、その説明は省略する。
【００９１】
次に、図１５の機能ブロック図を参照して、コンテンツ配信サーバ１により実現される機能について説明する。尚、以下の説明において、機能ブロックの各構成は、例えば、記憶部３９、または、ＲＯＭ４２に予め組み込まれるプログラムからなるソフトウェアを、ＣＰＵ４１が実行するときに実現されるものとして説明するが、各機能ブロックを実現するハードウェアから構成されるようにしても良い。従って、以下の機能ブロック図は、ハードウェア構成図と見ても良いし、ソフトウェア構成図と見てもよいものである。
【００９２】
コンテンツ配信サーバ１の制御部３４１は、コンテンツ配信サーバ１の全体の動作を制御している。制御部３４１は、通信部４９を制御して、例えば、ＰＤＡ４、または、携帯電話５から送信されてくるコンテンツの配信要求を受信し、さらに、コンテンツ配信管理部３４２に記憶されているコンテンツのうち、配信が要求されているコンテンツを読出すと共に、読み出したコンテンツの対価を決済管理部３４３を制御して、決済させる。すなわち、決済管理部３４３は、通信部４９を介して決済サーバ１６にアクセスし、コンテンツの配信にかかる対価を連絡し、対応する決済処理を要求する。制御部３４１は、この決済要求に応じて決済サーバ２により使用者の所持するＰＤＡ４、または、携帯電話５との決済が完了すると、配信が要求されていたコンテンツをネットワーク３を介して配信する。
【００９３】
次に、図１６の機能ブロック図を参照して、決済サーバ２により実現される機能について説明する。
【００９４】
決済サーバ２の制御部３５１は、決済サーバ２の全体の動作を制御する。制御部３５１は、通信部７９を制御して、ネットワーク３を介してコンテンツ配信サーバ１より所定のコンテンツの対価の決済処理が要求されると、決済処理部３５３を制御して、そのコンテンツの配信を要求している使用者の所持するＰＤＡ４、または、携帯電話５などと通信し決済処理を実行する。この決済処理にあたり、制御部３５１は、認証部３５２を制御して、ＳＳＬ（Ｓｅｃｕｒｉｔｙ  Ｓｏｃｋｅｔ  Ｌａｙｅｒ）による暗号化通信により使用者の利用するクレジットカードのカード情報（利用期限、利用可能金額、使用者の金融口座の情報など）を授受する。決済処理部３５３は、カード情報に基づいて、決済処理を実行し、所定のコンテンツの対価を指定の口座から引き落とし、コンテンツ配信サーバの管理者の所有する口座に振り込む処理を実行する。
【００９５】
次に、図１７の機能ブロック図を参照して、ＰＤＡ４により実現される機能について説明する。
【００９６】
ＰＤＡ４の制御部３７１は、ＰＤＡ４の全体の動作を制御している。ＩＤ認識カメラ１１は、上述のように、画像を撮像すると共に、その撮像される画像内に光ビーコン３１が存在する場合、その発光パターンからＩＤデータを読出す。制御部３７１は、この情報に基づいて、撮像された画像を表示部１２３に表示すると共に、撮像された光ビーコン３１の画像上の位置にオーバーラップして、抽出されたＩＤデータに対応する情報を表示する。すなわち、このＩＤデータは、看板６の広告にリンクしたものであるので、撮影された画像上には、看板の広告に関する情報（ここでは、コンテンツ配信サーバ１を管理する業者の広告に関する情報）がオーバーラップして表示されることになる。
【００９７】
このＩＤデータに対応する情報（例えば、ボタンの表示など）は、使用者が操作ボタン１２２を操作することにより操作されると、制御部３７１が、この操作内容に対応する表示を表示部１２３にすると共に、通信部１１９を制御して、コンテンツ配信サーバ１にアクセスし、コンテンツの配信を要求する。この要求に応じて、コンテンツ配信サーバ１から試聴用コンテンツが送信されてきたり、または、所定の決済処理により、コンテンツの対価の支払いが完了したとき、正式なコンテンツが配信されてくる。このとき、制御部３７１は、コンテンツ再生部１２１を制御して、送信されてきたコンテンツ（正式なもの、または、視聴用のものを含む）を再生させて、所定のスピーカ、または、ヘッドフォンから出力させる。
【００９８】
次に、図１８の機能ブロック図を参照して、携帯電話５により実現される機能について説明する。
【００９９】
尚、携帯電話５により実現される機能は、図４のＰＤＡ４と基本的に同様である。すなわち、携帯電話５の制御部３８１は、ＰＤＡ４の制御部３７１に対応するものであり、その動作についても同様である。
【０１００】
次に、図１９乃至図２１のフローチャートを参照して、ＰＤＡ４がコンテンツ配信サーバ１から音楽コンテンツの配信を受けるコンテンツ配信処理について説明する。尚、光ビーコン３１の構成は、図９で示した構成であるものとして説明するが、図１０の構成であってもよい。
【０１０１】
ステップＳ１において、光ビーコン３１の点滅制御部３０２が、送信データ保存用メモリ３０１に記録されている送信データを読出し、対応するパターンで発光部３０３を発光させ、自らを識別するＩＤデータと共に、看板６の広告に対応したリンク情報（例えば、コンテンツ配信サーバ１の管理するホームページのＵＲＬ）を送信し、その処理を繰り返す。
【０１０２】
ステップＳ１１において、制御部３７１は、ＩＤ認識カメラ１１がＩＤと共にリンク情報を検出したか、すなわち、ＩＤ認識カメラ１１の視野内にＩＤと共にリンク情報を光信号として発している光ビーコン３１を捕らえたか否かを判定し、視野内に光ビーコンが捕らえられるまで、その処理を繰り返す。ステップＳ１１において、例えば、使用者が、看板６の広告に興味を持ち、ＩＤ認識カメラ１１を看板６にかざすなどして、ＩＤ認識カメラ１１の視野内にＩＤと共にリンク情報を光信号として発している光ビーコン３１を捕らえたと判定された場合、ステップＳ１２において、制御部３７１は、ＩＤ認識カメラ１１から供給される画像上に、光ビーコン３１から発せられるリンク情報をオーバーラップして表示する。
【０１０３】
すなわち、図２２で示すように、図２２中、右上部に「ＸＸＸＸ  Ｎｅｗ  Ｓｉｎｇｌｅ視聴できます」と表示された看板６が実際に存在し、ＩＤ認識カメラ１１が、この看板６に向けてかざされると、ＰＤＡ４のＩＤ認識カメラ１１が捕らえられ、図２２中左上部に示すように（図２３Ａと同じ）、表示部１２３には、ＩＤ認識カメラ１１により撮像された看板６の画像と、その画像上の光ビーコン３１の位置付近に、ＩＤデータに含まれている情報として、「ＸＸＸＸ  Ｎｅｗ  Ｓｉｎｇｌｅ」を宣伝したい広告主である「ＸＸＸレコード」と示すボタン４０１をオーバーラップして表示させる。
【０１０４】
このように表示させることにより、ＰＤＡ４を所持する使用者は、表示部１２３を見ることにより、「ＸＸＸＸ  Ｎｅｗ  Ｓｉｎｇｌｅ」の看板６にリンクした情報として視聴データが取得できることを認識することができる。
【０１０５】
ステップＳ１３において、制御部３７１は、リンク情報が選択されたか否かを判定し、判定されない場合、その処理は、ステップＳ１１の処理に戻る。すなわち、リンク情報が選択されるまで、ステップＳ１１乃至Ｓ１３の処理が繰り返される。また、ステップＳ１３において、例えば、使用者が、「ＸＸＸＸ  Ｎｅｗ  Ｓｉｎｇｌｅ」に興味があり、視聴を希望するような場合、操作ボタン１２２（図４）を操作して、図２２中のボタン４０１を選択すると、リンク情報が選択されたと判定され、その処理は、ステップＳ１４に進む。
【０１０６】
ステップＳ１４において、制御部３７１は、通信部１１９を制御して、ＩＤデータに含まれているリンク先のＵＲＬに基づいて、ネットワーク３を介して、コンテンツ配信サーバ１にアクセスを要求する。
【０１０７】
ステップＳ５１において、コンテンツ配信サーバ１の制御部３４１は、通信部４９を制御して、アクセス要求があるか否かを判定し、アクセスの要求があるまでその処理を繰り返す。例えば、ステップＳ１４の処理により、ＰＤＡ４からアクセスの要求があった場合、アクセス要求があったと判定され、その処理は、ステップＳ５２に進む。
【０１０８】
ステップＳ５２において、制御部３４１は、通信部４９を制御して、アクセスを要求してきたＰＤＡ４のアクセスを認め、同時に視聴購入画面の情報を送信する。
【０１０９】
ステップＳ１５において、ＰＤＡ４の制御部３７１は、通信部１１９を制御して、ネットワーク３を介して、コンテンツ配信サーバ１から送信されてくる視聴購入画面の情報を受信し、例えば、図２３Ｂで示すように表示部１２３に表示する。図２３Ｂにおいては、図中上部から「ＸＸＸＸ  Ｎｅｗ  Ｓｉｎｇｌｅ」、「視聴する」、「購入する（ＸＸＸ円）」が表示されており、今表示している広告内容が、「ＸＸＸＸ  Ｎｅｗ  Ｓｉｎｇｌｅ」であることを示しており、「視聴する」と表示されたボタン４０２と「購入する」と表示されたボタン４０３が表示される。このボタン４０３は、使用者が視聴を希望するとき操作され、ボタン４０２は、購入を希望するとき操作される。
【０１１０】
ステップＳ１６において、制御部３７１は、視聴が選択されたか否かを判定する。例えば、使用者が視聴を希望する場合、ボタン４０２が操作され、これにより、制御部３７１は、視聴が選択されたと判定し、その処理は、ステップＳ１７に進む。
【０１１１】
ステップＳ１７において、制御部３７１は、通信部１１９を制御して、コンテンツ配信サーバ１に対して「ＸＸＸＸ  Ｎｅｗ  Ｓｉｎｇｌｅ」に対応するコンテンツの視聴データを要求する。
【０１１２】
ステップＳ５３において、コンテンツ配信サーバ１の制御部３４１は、視聴データの要求があったか否かを判定し、例えば、ステップＳ１７の処理により、視聴データが要求された場合、制御部３４１は、視聴データが要求されたと判定し、ステップＳ５４において、視聴が要求されたコンテンツに対応する視聴データを、コンテンツ配信部３４２から読み出して、視聴を要求してきたＰＤＡ４に対して送信する。ここでは、「ＸＸＸＸ  Ｎｅｗ  Ｓｉｎｇｌｅ」に対応するコンテンツの視聴データがコンテンツ配信管理部３４２から読み出される。
【０１１３】
ステップＳ１８において、制御部３７１は、通信部１１９を制御して、コンテンツ配信サーバ１から送信されてくる視聴データを受信し、ダウンロードする。このとき、制御部３７１は、表示部１２３を制御して、図２３Ｃで示すように上段から「ＸＸＸＸ  Ｎｅｗ  Ｓｉｎｇｌｅ」、「視聴データダウンロード中」と表示させ、今現在視聴データがダウンロード中であることを示す。
【０１１４】
ステップＳ１８において、ダウンロードが完了すると、ステップＳ１９において、制御部３７１は、音楽コンテンツ再生部１２１を制御して、ダウンロードした視聴データを再生させる。このとき、制御部３７１は、表示部１２３を制御して、図２３Ｄで示すように上段から「ＸＸＸＸ  Ｎｅｗ  Ｓｉｎｇｌｅ」、「視聴音楽を再生中」と表示させ、今現在、視聴を希望したコンテンツが再生されていることを示す情報を表示する。
【０１１５】
ステップＳ２０において、再生が終了したか否かを判定し、再生が終了するまでその処理を繰り返す。そして、ステップＳ２０において、再生が終了したと判定された場合、ステップＳ２１（図２０）において、制御部３７１は、表示部１２３を制御して、図２３Ｅで示すように、上段から「ＸＸＸＸ  Ｎｅｗ  Ｓｉｎｇｌｅ」と表示させ、さらに、「購入する（ＸＸＸ円）」と表示されたボタン４０４、および、「やめる」と表示されたボタン４０５を表示させることにより、視聴データの購入確認画面を表示する。「購入する（ＸＸＸ円）」と表示されたボタン４０４は、使用者が「ＸＸＸＸ  Ｎｅｗ  Ｓｉｎｇｌｅ」を視聴した後、購入を希望するときに操作され、また、「やめる」と表示されたボタン４０５は、購入を希望しないとき、操作される。
【０１１６】
ステップＳ２２において、制御部３７１は、購入が選択されたか、すなわち、ボタン４０４が操作されたか否かを判定し、例えば、使用者が視聴した結果、そのコンテンツの購入を希望し、ボタン４０４が操作された場合、ステップＳ２３において、図２４Ｆで示すような決済確認画面を表示する。図２４Ｆにおいては、上段に「決済を開始します。」と表示され、決済開始を認めるとき操作される「はい」と示されたボタン４０６と、決済を中止するとき操作される「いいえ」と示されたボタン４０７が表示される。
【０１１７】
ステップＳ２４において、制御部３７１は、決済が選択されたか、すなわち、「はい」と表示されたボタン４０６が操作されたか否かを判定し、例えば、ボタン４０６が操作された場合、ステップＳ２５において、通信部１１９を制御して、ネットワーク３を介してコンテンツ管理サーバ１に決済を要求する。
【０１１８】
ステップＳ５５において、コンテンツ管理サーバ１の決済管理部３４３は、決済が要求されたか否かを判定し、例えば、ステップＳ２５の処理により、ＰＤＡ４から決済が要求された場合、決済が要求されたと判定し、ステップＳ５６において、通信部１１９を制御して、配信しようとするコンテンツの対価に相当する金額の情報と共にネットワーク３を介して決済サーバ２に対して決済を要求する。
【０１１９】
ステップＳ８１において、決済サーバ２の制御部３５１は、決済が要求されたか否かを判定し、例えば、ステップＳ５５の処理により決済が要求されたような場合、決済が要求されたと判定し、ステップＳ８２において、認証部３５２を制御して、サーバＩＤを読み出してＰＤＡ４に対して送信する。このサーバＩＤは、ＳＳＬ方式の暗号化通信に使用するものであり、予め第３者機関により発行され、対応する秘密鍵で暗号化されている。
【０１２０】
ステップＳ２７において、ＰＤＡ４の制御部３７１は、通信部１１９を制御して、決済サーバ２から送信されてくるサーバＩＤを受信すると共に、サーバＩＤを発行した第３者機関により予め配布されている公開鍵で復号することにより決済サーバ２を認識して、自らが暗号化に使用することができる暗号化手法を決済サーバ２に送信する。
【０１２１】
ステップＳ８３において、決済サーバ２の制御部３５１は、通信部７９を制御して、送信されてきたＰＤＡ４で使用可能な暗号化手法の情報を受信すると共に、自らが使用可能な暗号化手法と照合して、双方で使用可能で、かつ、最も秘匿性の高い暗号化手法を選択し、選択した暗号化手法の情報を送信する。
【０１２２】
ステップＳ２８（図２１）において、ＰＤＡ４の制御部３７１は、通信部１１９を制御して、決済サーバ２から送信されてきた暗号化手法を取得し、さらに、共通鍵を生成して、送信されてきた（指定された）暗号化手法により暗号化して、決済サーバ２に通知する。
【０１２３】
ステップＳ８４において、決済サーバ２の制御部３５１は、通信部７９を制御して、ＰＤＡ４から送信されてきた、暗号化されている共通鍵を復号すると共に、決済に必要なＰＤＡ４の使用者のカード情報を入力する画面を、その共通鍵で暗号化してＰＤＡ４に送信する。
【０１２４】
ステップＳ２９において、制御部３７１は、決済サーバ２より送信されてきた共通鍵で暗号化されているカード情報の入力画面の情報を、自らが所持する共通鍵で復号し、表示部１２３を制御して、例えば、図２３Ｇで示すように表示する。図２３Ｇにおいては、上段に「クレジットカード情報を入力してください」と表示されており、その下に、カード情報を入力するための入力欄４０８が表示されている。使用者は、操作ボタン１２２（図２）を操作して、自らのクレジットカード番号を入力欄４０８に入力する。
【０１２５】
ステップＳ３０において、ＰＤＡ４の制御部３７１は、入力欄４０８にクレジットカードのカード情報の入力が完了されたか否かを判定し、入力が完了するまでその処理を繰り返す。例えば、入力欄４０８へのカード番号の入力が完了したことを示す操作がなされると、カード情報（クレジットカードのカード番号）の入力が完了したと判定され、ステップＳ３１において、制御部３７１は、入力されたカード情報を自らの共通鍵で暗号化して、決済サーバ２に送信する。
【０１２６】
ステップＳ８５において、決済サーバ２の制御部３５１は、通信部７９を制御して、送信されてきた共通鍵で暗号化されているカード情報を受信すると共に、認証部３５２に自らが所持する共通鍵で復号させ、復号されたカード情報に基づいて認証を行わせる。
【０１２７】
ステップＳ８６において、制御部３５１は、認証が認められるか否か、すなわち、例えば、購入しようとするコンテンツの対価を支払うことができるだけの使用可能残高があり、さらに、カードの使用期限が有効であるかなど、そのクレジットカードが利用が可能であるか否かを判定し、認証が認められると判定した場合、ステップＳ８７において、決済処理部３５３を制御して、コンテンツの対価を使用者の口座から引き落とし、コンテンツ配信サーバ１を管理し、コンテンツを配信する業者の口座に入金し、処理が完了したところで、通信部７９を制御して、決済が完了したことを示す決済結果をコンテンツ配信サーバ１に通知する。
【０１２８】
ステップＳ５７において、コンテンツ配信サーバ１の制御部３７１は、通信部１１９を制御して、決済サーバ２から決済結果の通知が送信されてきたか否かを判定し、例えば、ステップＳ８７の処理により決済が完了したことを示す決済結果の通知が送信されてきたと判定された場合、ステップＳ５８において、決済結果が、決済完了を示すものであるか否かを判定する。決済結果が、例えば、ステップＳ８７の処理により決済完了であることを示すものである場合、その処理は、ステップＳ５９に進む。
【０１２９】
ステップＳ５９において、制御部３４１は、決済が完了したことを示す通知をＰＤＡ４に通知すると共に、購入が希望されていたコンテンツを配信する。
【０１３０】
ステップＳ３２において、ＰＤＡ４の制御部３７１は、通信部１１９を制御して、コンテンツ配信サーバ１から決済完了の通知を受信したか否かを判定し、例えば、ステップＳ５９の処理により、決済が完了したことを示す通知を受信した場合、ステップＳ３３において、図２３Ｈで示すように、決済完了を示す画面を表示する。図２３Ｈにおいては、「決済が完了しました」と表示されており、決済が完了したことが示されている。
【０１３１】
ステップＳ３４において、制御部３７１は、引き続き送信されてくるコンテンツをコンテンツ再生部１２１を制御してダウンロードさせ、図２３Ｉで示すように、「音楽ダウンロード中」という画面を表示部１２３に表示させて、ダウンロードが実行されていることを示す。
【０１３２】
ステップＳ３５において、制御部３７１は、ダウンロードが完了したか否かを判定し、ダウンロードが完了していない場合、その処理は、ステップＳ３４に戻る。すなわち、ダウンロードが完了するまで、ステップＳ３４，Ｓ３５の処理が繰り返され、ダウンロードが完了するまで、図２３Ｉの画面が表示部１２３に表示されつづける。
【０１３３】
ステップＳ３５において、ダウンロードが完了したと判定された場合、ステップＳ３６において、制御部３７１は、図２３Ｊで示すように、「ダウンロード完了」と表示された画面を表示し、ダウンロードが完了したことを示す画面を表示し、その処理は、ステップＳ１１に戻りそれ以降の処理が繰り返される。すなわち、ステップＳ３６の処理によりＰＤＡ４の使用者は、自らが購入を所望したコンテンツが自らのＰＤＡ４のコンテンツ再生部１２１に記憶されたことになる。
【０１３４】
ステップＳ１６において、視聴が選択されなかったと判定された場合、ステップＳ１７乃至Ｓ２２の処理がスキップされて、その処理は、ステップＳ２３に進み、決済確認画面が表示される。すなわち、視聴にかかる処理が全てスキップされて、購入の処理に進むことになる。これに対応して、ステップＳ５３においては、視聴データが要求されなかったと判定され、ステップＳ５４の処理がスキップされることになる。
【０１３５】
ステップＳ２２において、購入が選択されなかったと判定された場合、すなわち、図２３Ｅのボタン４０５が操作されて、「やめる」が選択されたと判定された場合、ステップＳ２３乃至Ｓ３７の処理がスキップされ、結果として、その処理は、ステップＳ１１に戻る。
【０１３６】
ステップＳ２４において、決済が選択されなかったと判定された場合、すなわち、図２３Ｆの「いいえ」と表示されたボタン４０７が操作された場合、ステップＳ２６において、制御部３７１は、表示部１２３を制御して、購入が中止されたことを示す情報を表示し、さらに通信部１１９を制御して、コンテンツ配信サーバ１に購入が中止されたことを通知する。この後、ステップＳ２５乃至Ｓ３７の処理がスキップされて、結果として、その処理は、ステップＳ１１に戻る。
【０１３７】
また、この処理に対応して、ステップＳ５５においては、決済が要求されないことになり、購入が中止されたことがＰＤＡ４から通知されてくるので、ステップＳ５６において、制御部３４１は、決済サーバ２に購入が中止されたことと通知すると共に、ステップＳ５６乃至Ｓ６０の処理がスキップされて、結果として、その処理は、ステップＳ５１に戻る。
【０１３８】
さらに、この処理に対応して、ステップＳ８１において、決済はようきゅうされないと判定されることになるので、ステップＳ８２乃至Ｓ８８の処理はスキップされて、結果として、その処理は、ステップＳ８１に戻る。
【０１３９】
また、ステップＳ８６において、認証が認められなかったと判定された場合、すなわち、クレジットカードが使用できないと判定された場合、その処理は、ステップＳ８８に進み、制御部３５１は、通信部１１９を制御して、認証が正しくない、すなわち、クレジットカードが使用できず、決済が完了していないことを示す通知をコンテンツ配信サーバ１に送信する。
【０１４０】
この場合、ステップＳ５９において、決済完了ではないと判定されることになるので、ステップＳ６１において、制御部３４１は、通信部４９を制御して、決済ができなかったことを示す通知をＰＤＡ４に通知させる。
【０１４１】
さらに、この場合、ステップＳ３２において、決済完了できなかった旨の通知がなされるので、ステップＳ３７において、ＰＤＡ４の制御部３７１は、決済ができず、所望とするコンテンツが購入できなかったことを示し画面を表示部１２３を制御して表示させ、その処理は、ステップＳ１１に戻る。
【０１４２】
以上の処理により、使用者は、ＰＤＡ４を所持して、ＩＤ認識カメラ１１を看板６にかざす事により、その看板６が表示している広告に関連する視聴データを取得するためのリンク情報を取得し、そのリンク情報からコンテンツを視聴し、さらに、購入する際には、自らのカード情報を入力するだけで、所望とするコンテンツを自らのＰＤＡ４に購入すること（配信を受けること）が可能となる。
【０１４３】
尚、携帯電話５においても同様の処理によりコンテンツを視聴して、購入することが可能となるので、その処理の説明は省略する。
【０１４４】
以上においては、看板６の固定的な内容に使用者が興味を抱いたとき、ＩＤ認識カメラ１１をかざして、設置された光ビーコン３１から固定的に送信される広告内容（ＵＲＬなど）を含むＩＤデータを受信する例について説明してきたが、例えば、光ビーコン３１から発せられる情報は、動的に変化するものであってもよい。
【０１４５】
図２４は、看板６の代わりに、広告を表示するモニタ（いわゆるテレビジョン）４１１を設けて、そのモニタに表示される広告内容に合わせて、光ビーコン３１から発せられる光信号のパターンを変化させるようにする例を示している。
【０１４６】
すなわち、図２４で示すように、放送局で使用される放送送信装置４１２から送信されてくる放送信号に基づいて、モニタ４１１が「ＸＸＸＸ  Ｎｅｗ  Ｓｉｎｇｌｅ  視聴できます」と表示するタイミングには、光ビーコン３１からモニタ４１１で表示されている内容に対応する光信号（「ＸＸＸＸ  Ｎｅｗ  Ｓｉｎｇｌｅ」を宣伝広告したいコンテンツ配信サーバ１を管理する業者のＵＲＬの情報を含む）を送信し、また、別の宣伝が表示されるときには、その表示内容に対応する光信号を発するというものである。
【０１４７】
図２５は、図２４のモニタ４１１、および、放送送信装置４１２の構成例を示すブロック図である。制御部４２１は、いわゆるマイクロコンピュータから構成されており、モニタ４１１の全体の動作を制御する。チューナ４２２は、放送局が管理する放送送信装置４１２から送信されてくる放送信号を受信し、表示部４２４に表示可能な信号に変換して、送信データ抽出部４２３、および、表示部４２４に出力する。
【０１４８】
送信データ抽出部４２３は、チューナ４２２より入力された信号のブランキングエリアに含まれている送信データを抽出して、光ビーコン１１に出力する。表示部４２４は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）から構成される。
【０１４９】
また、放送送信装置４１２の番組データ生成部４３１は、撮影された画像、および音声から構成される番組データを合成部４３３に出力する。送信データ４３２は、モニタ４１１の光ビーコン３１から発せられる光信号により送信するリンク情報を生成し、合成部４３３に出力する。合成部４３３は、番組データ生成部４３１から入力される番組データのブランキングエリアに送信データ生成部４３２から入力された送信データを合成し、送信部４３４に出力する。送信部４３４は、合成部４３３より入力された、リンク情報がブランキングエリアに合成されている放送信号を送信する（放送する）。このブランキングエリアには、文字情報などを記録して放送することが実用化されているが、合成部４３３は、このブランキングエリアに文字情報を合成させる処理と同様の処理により、文字情報の代わりに光ビーコン３１から発するリンク情報を含む送信データを合成させる。尚、図２４，図２５の例においては、光ビーコン３１は、図１０で示す構成例となる。
【０１５０】
次に、図２６のフローチャートを参照して、図２４のモニタ４１１を図１の看板６に代えて設けた場合にコンテンツを配信する処理について説明する。尚、コンテンツの配信を受けるＰＤＡ４、および、携帯電話５、並びに、コンテンツ配信サーバ１、および、決済サーバ２の処理については、図１９乃至図２１のフローチャートを参照して説明した処理と同様であるので、その説明は省略する。
【０１５１】
ステップＳ１０１において、放送送信装置４１２の番組データ生成部４３１は、番組データを生成し、合成部４３３に出力する。ステップＳ１０２において、送信データ生成部４３２は、番組データに対応する送信データを生成し、合成部４３３に出力する。ステップＳ１０３において、合成部１０３は、番組データ生成部４３１より入力される番組データのブランキングエリアに、送信データ生成部より入力された送信データを合成し、送信部４３４に出力する。ステップＳ１０４において、送信部４３４は、合成部４３３より入力されたブランキングエリアに送信データが合成された番組データを放送信号として所定の周波数で送信する（放送する）。
【０１５２】
このように送信されてきた放送信号が送信されると、ステップＳ１１１において、モニタ４１１の制御部４２１は、チューナ４２１を制御して、所定の周波数の放送信号を受信させ、表示部４２４に表示させると共に、送信データ抽出部４２３に出力させる。ステップＳ１１２において、送信データ抽出部４２３は、チューナから入力された番組データのブランキングエリアに合成されている送信データを抽出し、光ビーコン３１に出力する。ステップＳ１１３において、光ビーコン３１は、送信データ抽出部４２３より入力された送信データに対応する光信号を発生する。
【０１５３】
このような処理により、例えば、放送送信装置４１２が、ＣＭを放送するような場合、そのＣＭスポンサの管理するＵＲＬや、ＣＭの広告商品の商品情報が記録されているＵＲＬの情報を送信データとして光ビーコンから発するようにする。このようにすることにより、モニタ４１１の表示部４２４でＣＭ番組が表示されているタイミングで、光ビーコン３１からは、そのＣＭに対応する送信データが送信されることになる。したがって、モニタ４１１を見た使用者が、そのＣＭに興味を持った場合、そのモニタ４１１に向けてＰＤＡ４のＩＤ認識カメラ１１をかざす事により、モニタ４１１で表示される広告に対応した情報を取得することが可能となり、結果として、そのＣＭの宣伝広告効果を向上させることが可能となる。
【０１５４】
以上においては、ＰＤＡ４を用いた場合について説明してきたが、携帯電話５においても同様の処理を行うことができる。尚、携帯電話５による処理は、上述の処理と同様であるので、その説明は、省略する。
【０１５５】
以上の例においては、広告により商品を購入する際の処理について説明してきたが、複数の看板６について、個々に光ビーコン３１を設置し、その個々の光ビーコン３１毎に異なる広告を送信データとして送信するようにした場合、例えば、店の広告と共に、送信データを取得した光ビーコン３１からその店までの経路を案内する地図データを配信する（ナビゲーション処理する）ようにしてもよく、さらにＰＤＡ４などにＧＰＳ（Ｇｌｏｂａｌ  Ｐｏｓｉｔｉｏｎｉｎｇ  Ｓｙｓｔｅｍ）が搭載されているようなとき、そのＧＰＳにより取得可能な位置情報に基づいて、その地図データ上でナビゲーション処理を行えるようにしてもよい。さらに、所定の光ビーコン３１を識別するＩＤデータにより、どの光ビーコン３１からの信号に基づいて情報提供サーバにアクセスしてきたかを光ビーコン３１ごとにカウントし、そのカウントに応じて広告料を徴収するようにしてもよい。
【０１５６】
図２７は、複数の看板６−１，６−２のそれぞれに、異なる光信号を発する光ビーコン３１−１，３１−２を設け、それぞれの光ビーコン３１−１，３１−２から発せられる光信号に含まれるＩＤデータ毎に、店の広告情報が情報提供サーバ４５１から配信されるシステムの構成例を示したものである。
【０１５７】
光ビーコン３１−１は、看板６−１，６−２の宣伝広告内容に応じて、異なる送信データを含むＩＤデータを含む光信号を発する。ＰＤＡ４’、および、携帯電話５’は、それぞれのＩＤ認識カメラ１１，２１により光ビーコン３１−１，３１−２の光信号を撮像し、それぞれのＩＤデータに含まれる情報（例えば、ＵＲＬ）を抽出して表示する。さらに、ＰＤＡ４’、および、携帯電話５’は、情報提供サーバ４５１にアクセス要求し、この抽出されたＩＤデータのうち選択された情報のＩＤの情報を送信する。ＰＤＡ４’、および、携帯電話５’は、情報提供サーバ４５１にアクセスし、選択したＩＤにより識別される、どの光ビーコン３１からの情報であるかに対応して送信されてくる所定のサービスメニューを、ネットワーク３を介して取得する。
【０１５８】
情報提供サーバ４５１は、ネットワーク３を介して光ビーコン３１−１、または、３１−２の光信号に基づいてアクセスしてくるＰＤＡ４’、または、携帯電話５’のＩＤデータに基づいて、どの光ビーコン３１−１，３１−２の情報（それぞれの光ビーコンが属するグループの情報）に基づいてアクセスしてきているかを識別し、さらに、アクセスしてきた回数を光ビーコンのグループ毎にアクセスカウンタにカウントする。さらに、情報提供サーバ４５１は、どの光ビーコン３１−１，３１−２の（どのグループに属する光ビーコンの）情報に基づいてアクセスしてきたかに対応して、予め提供するサービスメニューが記録されているテーブルを記憶しており、そのテーブルより対応するサービスメニューを読み出して、情報の提供を求めているＰＤＡ４’、または、携帯電話５’に送信する。
【０１５９】
また、情報提供サーバ４５１は、決済サーバ４５２に対して、アクセスカウンタに記録されている光ビーコン３１の所属するグループごとにアクセスカウンタの値に対応する広告料を看板６−１，６−２を所持するオーナーごとに決済するように要求する。決済サーバ４５２は、この要求に応じた決済処理を実行する。
【０１６０】
尚、情報提供サーバ４５１の構成は、図２を参照して説明したコンテンツ配信サーバ１と基本的に同様のものであるので、その説明は、省略する。
【０１６１】
次に、図２８の機能ブロック図を参照して、情報提供サーバ４５１の機能について説明する。制御部４６１は、情報提供サーバ４５１の動作の全体を制御している。サービス提供部４６２は、通信部４９を介して、ＰＤＡ４、または、携帯電話５からの情報提供が求められるとき付されてくるＩＤ認識カメラ３１を識別するＩＤに基づいて、ビーコン情報管理ＤＢ（ＤａｔａＢａｓｅ）４６３に記録されているビーコングループを照会し、対応するサービスメニューの情報を通信部４９を介して送信すると共に、アクセスが要求されたビーコングループのアクセスカウンタを１インクリメントする。また、サービス提供部４６２は、サービスメニューのうちナビゲーションが要求されると、ビーコン情報管理ＤＢ４６３に記憶されている店の位置情報に基づいて、ネットワーク３上で入手可能な地図データを生成して、ナビゲーションを要求してきたＰＤＡ４’、または、携帯電話５’に送信する。
【０１６２】
ここで、ビーコン情報管理ＤＢ４６３について、図２９を参照して説明する。ビーコン情報管理ＤＢ４６３には、図中、左からビーコングループ、サービスメニュー、位置情報、および、アクセスカウンタが記録されている。ビーコングループとしては、図中上から「ＡＡＡ」、「ＢＢＢ」、および、「ＣＣＣ」が登録されている。ＩＤデータには、そもそも光ビーコン３１を個々に識別するＩＤが含まれているが、例えば、ビーコングループ（同一の広告に関係する光信号を送信する光ビーコン３１の集まり）を識別する値として、ＩＤの上位３バイトが、「ＡＡＡ」、「ＢＢＢ」、および、「ＣＣＣ」であるとき、それぞれのビーコングループに識別される。サービスメニューには、情報提供の要求があったとき、送信する情報の種類が記録されており、図２９においては、ビーコングループＡＡＡに対応する光ビーコン３１のＩＤが付されて要求された情報は、イベント情報が、ＢＢＢに対応する光ビーコン３１のＩＤが付されて要求された情報は、クーポン情報が送信されることが示されている。
【０１６３】
ビーコン位置情報は、それぞれの光ビーコン３１の緯度経度を示したものであり、ビーコングループＡＡＡに属する光ビーコン３１については、「北緯Ａ°東経Ａ°」であることが記録されており、ビーコングループＢＢＢに属する光ビーコン３１については、「北緯Ｂ°東経Ｂ°」であることが記録されている。
【０１６４】
また、店位置情報は、それぞれのビーコングループに属する光ビーコン３１の看板６が宣伝広告している店の緯度経度を示したものであり、ビーコングループＡＡＡについては、「北緯ＡＡ°東経ＡＡ°」であることが記録されており、ビーコングループＢＢＢについては、「北緯ＢＢ°東経ＢＢ°」であることが記録されており、ナビゲーションが要求された場合、この位置情報に基づいてネットワーク３上の他の地図サーバから地図データを読出し、ビーコン位置情報と店位置情報に基づいて目的としている店までの位置までの経路案内（ナビゲーション）地図を生成し、送信する。
【０１６５】
アクセスカウンタは、ビーコングループのいずれかの光ビーコン３１からの光信号に基づいてアクセスしてきたＰＤＡ４’や携帯電話５’のアクセス回数を記録するものであり、今の場合、ビーコングループＡＡＡに属するアクセス回数は２回であり、ビーコングループＢＢＢに属するアクセス回数は３回であることが示されている。
【０１６６】
さらに、図３０で示すようにＰＤＡ４’がＧＰＳ４８１を備えており自らの位置情報を取得することができ、その位置情報が送信されてきた場合、ナビゲーションを要求してきたＰＤＡ４’の位置情報と、ビーコン情報管理ＤＢ４６３に記録されている位置情報に基づいて、ＰＤＡ４を所持した使用者が今現在存在する位置から、目的としている店までの位置までの経路案内（ナビゲーション）地図を生成し、送信する。
【０１６７】
尚、ＰＤＡ４’は、図３０で示すように、図１７で示すＰＤＡ４とのコンテンツ再生部１２１に代えてＧＰＳ装置４８１が設けられた以外はＰＤＡ４と同様であるので、その説明は省略する。また、携帯電話５’についても、図３０で示したＰＤＡ４’と同様に、コンテンツ再生部１６１がＧＰＳ装置に置き換えられるのみであるので、その図示、および、説明は、省略する。
【０１６８】
次に、図３１を参照して、光ビーコン３１により送信される１フレーム分のデータのデータフォーマットを説明する。光ビーコン３１により送信される１フレーム分のデータは、先頭部分（図中左側）からスタートコード、送信データ（Ｎｂｉｔ）、および、固有ＩＤである。スタートコードは、所定のパターンのコードが数ビット並んでおり、この数ビットの所定のパターンにより１フレーム分のデータの開始位置が検出される。また、送信データは、リンク情報などであり、例えば、情報配信サーバ４５１のＵＲＬなどの情報が記録される。さらに、固有ＩＤは、光ビーコン３１が個々に持つＩＤの情報であり、上述のように、その上位Ｘビット（上述では、上位３バイト）によりビーコングループが設定される。図２７においては、異なるビーコングループの光ビーコン３１−１，３１−２が１個ずつ設定されている例について示されているが、同じビーコングループの光ビーコン３１が複数に存在していても構わない。この際、ビーコン位置情報などについては、異なるデータが記録されることになる。
【０１６９】
次に、図３２，図３３のフローチャートを参照して、図２７で示す情報提供システムにおいて、ＰＤＡ４’が光ビーコン３１から送信されてくる光信号に基づいて、情報提供サーバ４５１に情報提供を要求し、取得する処理について説明する。
【０１７０】
ステップＳ２０１において、光ビーコン３１−１，３１−２は、点滅制御部３０２が、送信データ保存用メモリ３０１に記録されている送信データを読出し、対応するパターンで発光部３０３を発光させて図３１で示したような、固有ＩＤ情報と、リンク情報（今の場合、情報提供サーバ４５１のＵＲＬなど）を含めていた送信データを送信し、その処理を繰り返す。
【０１７１】
ステップＳ２１１において、制御部４６１は、ＩＤ認識カメラ１１が光ビーコン３１から送信されてくる光信号のＩＤとリンク情報を検出したか否かを判定し、検出するまで、その処理を繰り返す。ステップＳ２１１において、例えば、ＰＤＡ４’の使用者が、看板６−１の広告に興味を持ってＰＤＡ４’のＩＤ認識カメラ１１を看板６−１の光ビーコン３１−１にかざすなどすることにより、ＩＤ認識カメラ１１の視野内にＩＤとリンク情報を含む光信号を発している光ビーコン３１−１を捕らえたと判定された場合、ステップＳ２１２において、制御部４６１は、ＩＤ認識カメラ１１から供給される画像上に、光ビーコン３１から発せられるリンク情報をオーバーラップして表示部１２３に表示する。
【０１７２】
ステップＳ２１３において、制御部４６１は、リンク情報が選択されたか否かを判定し、判定されない場合、その処理は、ステップＳ２１１の処理に戻る。すなわち、リンク情報が選択されるまで、ステップＳ１１乃至Ｓ１３の処理が繰り返される。また、ステップＳ２１３において、操作ボタン１２２（図４）が操作されて、何れかのボタンが選択された場合、リンク情報が選択されたと判定し、その処理は、ステップＳ２１４に進む。
【０１７３】
ステップＳ２１４において、制御部４６１は、通信部１１９を制御して、ＩＤデータに含まれているリンク先のＵＲＬに基づいて、ネットワーク３を介して、情報配信サーバ４５１にアクセスを要求する。
【０１７４】
ステップＳ２１４において、情報提供サーバ４５１の制御部４６１は、通信部４９を制御して、ＰＤＡ４’や携帯電話５’からのアクセス要求があったか否かを判定し、アクセス要求があるまでその処理を繰り返す。例えば、ステップＳ２１４の処理によりＰＤＡ４からアクセス要求があった場合、ステップＳ２４２において、制御部４６１は、アクセス要求と共に送信されてくるＩＤデータに含まれる情報から固有ＩＤを読みだし、この固有ＩＤに基づいて、サービス提供部４６２を制御して、ビーコン情報管理ＤＢ４６３に固有ＩＤに基づいたビーコングループを識別させる。例えば、固有ＩＤの上位３バイトに「ＡＡＡ」が含まれていた場合、図２９の最上段の「ＡＡＡ」のビーコングループに属する光ビーコン３１−１のＩＤデータに基づいて、ＰＤＡ４’が情報の提供を要求していることが認識される。
【０１７５】
ステップＳ２４３において、制御部４６１は、サービス提供部４６２を制御して、認識されたビーコングループに対応するサービスメニューを読み出させて、通信部１１９から送信すると共に、ビーコン情報管理ＤＢ４６３中のアクセスカウンタを１インクリメントさせる。
【０１７６】
ステップＳ２１５において、ＰＤＡ４の制御部４６１は、サービスメニューが送信されてきたか否かを判定し、送信されてくるまでその処理を繰り返す。例えば、ステップＳ２４３の処理により、サービスメニューが送信されてくると、ステップＳ２１６において、表示部１２３を制御して、送信されてきたサービスメニューを表示する。例えば、図２９で示すように、ビーコングループＡＡＡに対応するサービスメニューが送信されてきた場合、イベント情報がサービスメニューとして送信されてきて、表示部１２３に表示される。また、このとき、そのサービスメニューと共に、その店までのナビゲーションを要求するか否かを入力する欄が表示される。
【０１７７】
ステップＳ２１７において、制御部４６１は、上記のサービスメニューと共に表示されたナビゲーションの要求の有無を入力する欄に、ナビゲーションを要求する情報が入力されたか否かを判定し、例えば、ナビゲーションを要求する旨の情報が、その入力欄に入力され、ナビゲーションが要求されたと判定した場合、ステップＳ２１８において、通信部１１９を制御して、情報提供サーバ４５１にナビゲーション情報を要求する。
【０１７８】
ステップＳ２４４において、情報提供サーバ４５１の制御部４６１は、通信部４９を制御して、ナビゲーションが要求されたか否かを判定し、ステップＳ２４５において、通信部４９を制御して、ＰＤＡ４’に対して、ＧＰＳによる位置検出が可能か否かを問い合わせる。
【０１７９】
ステップＳ２１９（図３３）において、ＰＤＡ４’の制御部４６１は、ＧＰＳの有無の問合せを受信して、対応する情報を情報提供サーバ４５１に送信する。例えば、図３０で示すように、ＰＤＡ４’には、ＧＰＳ４８１が設けられており、位置検出が可能であるので、ＧＰＳ４８１を制御して、現在位置情報を読み出して、位置検出が可能である旨の情報と共に、今現在の位置情報を情報提供サーバ１に送信する。
【０１８０】
ステップＳ２４６において、情報提供サーバ４５１の制御部４６１は、ＰＤＡ４’からの通知がＧＰＳ有りのものであるか否かを判定し、例えば、今の場合、ＧＰＳが有り、あわせて位置情報が送信されているので、ステップＳ２４７において、サービス提供部４６２を制御して、送信されてきた位置情報と、ビーコン情報管理ＤＢ４６３に記録されている位置情報からナビゲーション地図データを生成し、通信部４９を制御して、通信部４９を制御して、ＰＤＡ４’に送信し、その処理は、ステップＳ２４１に戻る。
【０１８１】
ステップＳ２２０において、ＰＤＡ４’の制御部４６１は、地図データが情報提供サーバ４５１から送信されてきたか否かを判定し、送信されてくるまで、その処理を繰り返し、例えば、ステップＳ２４７の処理により、地図データが送信されてきた場合、ステップＳ２２１において、表示部１２３を制御して、受信した地図データを表示する。
【０１８２】
ステップＳ２１７において、ナビゲーションが要求されなかった場合、ステップＳ２１８乃至Ｓ２２１の処理がスキップされ、結果として、ステップＳ２１１の処理に戻る。
【０１８３】
対応して、ステップＳ２４４において、ナビゲーションが要求されなかったと判定されることになるので、ステップＳ２４５乃至Ｓ２４８の処理がスキップされて、結果として、その処理は、ステップＳ２４１に戻る。
【０１８４】
ステップＳ２１９において、例えば、図３０のＰＤＡ４’にＧＰＳ４８１が設けられていなかった場合、ＧＰＳ４８１による位置情報は取得できないことになるので、その旨が情報提供サーバ１に通知されることになる。従って、ステップＳ２４６において、ＧＰＳはないと判定され、ステップＳ２４８において、制御部４６１は、サービス提供部４６２を制御し、ビーコン情報管理ＤＢ４６３に記録されているビーコン位置情報と店位置情報からナビゲーション地図データを生成し、通信部４９を制御して、通信部４９を制御して、ＰＤＡ４’に送信し、その処理は、ステップＳ２４１に戻る。
【０１８５】
以上の処理により、ＩＤ認識カメラ１１により撮像された画像上に複数の光ビーコン３１に対応する選択ボタン（例えば、図２３Ａのボタン４０１のようなボタン）がオーバーラップ表示されていても、選択したボタンにより光ビーコン３１の固有ＩＤは異なるので、選択されたボタンにより、すなわち、選択された光ビーコン３１に対応して異なるサービスメニューによる情報提供が可能となる。
【０１８６】
次に、図３４のフローチャートを参照して、上述の処理により、光ビーコン３１毎に設定されたアクセスカウンタのカウンタ数に応じて広告主に対して広告代金の決算処理を行うときの処理について説明する。尚、ステップＳ２８２乃至Ｓ２８４の処理、および、ステップＳ３０１乃至Ｓ３０３の処理に図１９乃至図２１のフローチャートを参照して説明したＳＳＬによる暗号化通信の処理、すなわち、ステップＳ２５乃至Ｓ２８、および、ステップＳ８１乃至Ｓ８３の処理と同様であるので、その説明は省略する。
【０１８７】
ステップＳ２８１において、情報提供サーバ４５１の制御部４６１は、所定の時間が経過したか否かを判定し、所定の時間が経過したと判定した場合、その処理は、ステップＳ２８２に進む。
【０１８８】
ステップＳ３０４において、決済サーバ４５２の制御部３５１は、通信部７９を制御して、各ビーコングループ毎のアクセスカウンタの値を要求する。
【０１８９】
ステップＳ２８５において、情報提供サーバ４５１の制御部４６１は、サービス提供部４６２を制御して、ビーコン情報管理ＤＢ４６３に記録されているアクセスカウンタの値をビーコングループ毎に読み出させ、共通鍵で暗号化して、通信部４９を制御して、決済サーバ４５２に送信する。
【０１９０】
ステップＳ３０５において、決済サーバ４５２の制御部３５１は、共通鍵で暗号化されたアクセスカウンタの情報を復号する。
【０１９１】
ステップＳ３０６において、制御部３５１は、決済処理部３５３を制御して、復号したアクセスカウンタの値に応じて決済額を設定させる。
【０１９２】
ステップＳ３０７において、制御部３５１は、決済処理部３５３を制御して、ビーコングループ毎に設定される広告主の金融口座から設定された決済額を情報提供サーバ４５１を管理する業者の口座に引き落とし、それらの処理が完了したところで、通信部７９を制御して、完了通知を情報提供サーバ４５１に通知し、その処理は、ステップＳ３０１に戻る。
【０１９３】
ステップＳ２８６において、制御部４６１は、決済完了が通知されたか否かを判定し、決済完了の通知が送信されてくるまでその処理を繰り返し、例えば、ステップＳ３０７の処理により、決済完了の通知が送信されてくると、決済完了が通知されたと判定し、ステップＳ２８７において、制御部４６１は、所定の管理用の図示せぬディスプレイなどに決済完了を表示し、サービス提供部４６２を制御して、ビーコン情報管理ＤＢ４６３に記録されているアクセスカウンタの値をリセットし、その処理は、ステップＳ２８１に戻り、それ以降の処理が繰り返される。
【０１９４】
以上の処理により、各光ビーコン３１毎に情報提供を要求した回数がアクセスカウンタとして記録されることにより、看板６と光ビーコン３１による宣伝広告効果が数値化されることになるので、その効果に応じた広告料金を設定することが可能となる。また、アクセスカウンタによる管理だけでなく、例えば、アクセスされる時間や、ＰＤＡ４’や携帯端末５’に予め個人情報を登録させておくことにより、アクセスしてきた使用者の年齢層や性別などが分析できるようにしてもよい。さらに、それらの情報を提供することによる対価を設定し、広告料金から割り引くようにしてもよい。
【０１９５】
尚、以上においては、看板６、または、モニタ４１１に光ビーコン３１を設けた場合について説明してきたが、光ビーコンを設けるものは、看板６やモニタ４１１に限らず、例えば、ポスターなどでもよい。また、送信データに含まれる情報は、上述のようにＵＲＬのみに限るものではなく、ネットワークアドレスや、店の写真などでもよい。また、以上においては、コンテンツは、音楽コンテンツを例にして説明してきたが、音楽コンテンツに限らず、例えば、ビデオ、電子ブック、または、電子雑誌などのコンテンツであってもよい。
【０１９６】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行させることが可能な、例えば汎用のパーソナルコンピュータなどに記録媒体からインストールされる。
【０１９７】
この記録媒体は、図２，図３に示すようにコンテンツ配信サーバ１、携帯端末１１に予め組み込まれた状態でユーザに提供される、プログラムが記録されている記憶部４８，７６だけではなく、コンピュータとは別に、ユーザにプログラムを提供するために配布される、プログラムが記録されている磁気ディスク５１，９１（フレキシブルディスクを含む）、光ディスク５２，９２（ＣＤ−ＲＯＭ（ＣｏｍｐａｃｔＤｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク５３，９３（ＭＤ（Ｍｉｎｉ−Ｄｉｓｃ）（登録商標）を含む）、もしくは半導体メモリ５４，９４（Ｍｅｍｏｒｙ  Ｓｔｉｃｋを含む）などよりなるパッケージメディアにより構成される。
【０１９８】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１９９】
また、本明細書において、システムとは、複数の装置により構成される装置全体を表すものである。
【０２００】
【発明の効果】
本発明によれば、看板に向けて自らの携帯端末をかざす事により、所望とするコンテンツの試聴が可能となり、さらに、試聴したコンテンツを自らのカード情報を入力するだけで購入することが可能となる。また、看板により情報提供を求めてきた使用者の数に対応した適正な広告料金を設定することが可能となる。
【図面の簡単な説明】
【図１】本発明を適用した情報配信システムの構成を示す図である。
【図２】図１のコンテンツ配信サーバのブロック図である。
【図３】図１の決済サーバのブロック図である。
【図４】図１のＰＤＡのブロック図である。
【図５】図１の携帯電話のブロック図である。
【図６】図４のＩＤ認識カメラのブロック図である。
【図７】図６の画像デコード処理部のブロック図である。
【図８】図６のＩＤデコード処理部のブロック図である。
【図９】図１の光ビーコンのブロック図である。
【図１０】図１の光ビーコンのブロック図である。
【図１１】ＩＤ認識カメラが画像信号を生成する動作を説明する図である。
【図１２】ＩＤ認識カメラが画像信号を生成する動作を説明する図である。
【図１３】ＩＤ認識カメラが画像信号を生成する動作を説明する図である。
【図１４】ＩＤ認識カメラが点滅パターンをデコードする動作を説明する図である。
【図１５】図２のコンテンツ配信サーバにより実現される機能を説明する機能ブロック図である。
【図１６】図３の決済配信サーバにより実現される機能を説明する機能ブロック図である。
【図１７】図４のＰＤＡにより実現される機能を説明する機能ブロック図である。
【図１８】図５のＰＤＡにより実現される機能を説明する機能ブロック図である。
【図１９】図１の情報配信システムによるコンテンツ配信処理を説明するフローチャートである。
【図２０】図１の情報配信システムによるコンテンツ配信処理を説明するフローチャートである。
【図２１】図１の情報配信システムによるコンテンツ配信処理を説明するフローチャートである。
【図２２】図１の情報配信システムによるコンテンツ配信処理を説明する図である。
【図２３】図４のＰＤＡによるコンテンツ配信処理における操作画面を説明する図である。
【図２４】モニタに光ビーコンを設ける場合の例を説明する図である。
【図２５】図２４におけるモニタと放送送信装置により実現される機能を説明する機能ブロック図である。
【図２６】図２４のモニタと放送送信装置を利用した場合の情報配信システムによるコンテンツ配信処理を説明するフローチャートである。
【図２７】本発明を適用したその他の情報配信システムの構成を説明する図である。
【図２８】図２７の情報提供サーバにより実現される機能を説明する機能ブロック図である。
【図２９】図２８のビーコン情報管理ＤＢを説明する図である。
【図３０】図２７のＰＤＡにより実現される機能を説明する機能ブロック図である。
【図３１】光ビーコンにより送信されるデータのフォーマットを説明する図である。
【図３２】図２７の情報配信システムによる情報提供処理を説明するフローチャートである。
【図３３】図２７の情報配信システムによる情報提供処理を説明するフローチャートである。
【図３４】図２７の情報配信システムによる決済処理を説明するフローチャートである。
【符号の説明】
１  コンテンツ配信サーバ，  ２  決済サーバ，  ３  ネットワーク，  ４  ＰＤＡ，  ５  携帯電話，  ６  看板，  １１，２１  ＩＤ認識カメラ，  ３４１  制御部，  ３４２  コンテンツ配信管理部，  ３４３  金融サーバ，  ３５１  制御部，  ３５２  認証部，  ３５３  決済処理部，  ３７１  制御部，  ３８１  制御部，  ４３１  番組データ生成部，  ４３２  送信データ生成部，  ４３３  合成部，  ４３４  送信部，  ４２１  制御部，  ４２２  チューナ，  ４２３  送信データ抽出部，  ４２４  表示部，  ４５１  情報提供サーバ，  ４５２  決済サーバ，  ４６１  制御部，  ４６２  サービス提供サーバ，  ４６３  ビーコン情報管理ＤＢ，  ４６４  決済管理部，  ４８１  ＧＰＳ
【図１】
2004171331.tif 000003
【図２】
2004171331.tif 000004
【図３】
2004171331.tif 000005
【図４】
2004171331.tif 000006
【図５】
2004171331.tif 000007
【図６】
2004171331.tif 000008
【図７】
2004171331.tif 000009
【図８】
2004171331.tif 000010
【図９】
2004171331.tif 000011
【図１０】
2004171331.tif 000012
【図１１】
2004171331.tif 000013
【図１２】
2004171331.tif 000014
【図１３】
2004171331.tif 000015
【図１４】
2004171331.tif 000016
【図１５】
2004171331.tif 000017
【図１６】
2004171331.tif 000018
【図１７】
2004171331.tif 000019
【図１８】
2004171331.tif 000020
【図１９】
2004171331.tif 000021
【図２０】
2004171331.tif 000022
【図２１】
2004171331.tif 000023
【図２２】
2004171331.tif 000024
【図２３】
2004171331.tif 000025
【図２４】
2004171331.tif 000026
【図２５】
2004171331.tif 000027
【図２６】
2004171331.tif 000028
【図２７】
2004171331.tif 000029
【図２８】
2004171331.tif 000030
【図２９】
2004171331.tif 000031
【図３０】
2004171331.tif 000032
【図３１】
2004171331.tif 000033
【図３２】
2004171331.tif 000034
【図３３】
2004171331.tif 000035
【図３４】
2004171331.tif 000036